(57)【要約】  本発明の実施例は、信号伝送方法及び装置を提供し、当該方法は、端末デバイスが第１信号の伝送に使用する第１基本パラメータセットに基づいて、前記第１信号を伝送するリソースプールを確定することと、前記端末デバイスが前記第１信号を伝送するリソースプール内の伝送リソースを使用して前記第１信号を伝送することとを含み、基本パラメータセットに基づいてリソースプールを選定して、リソースプール選択の柔軟性をある程度向上させることができる。
2020500440.tif 000002
【特許請求の範囲】
【請求項１】
信号伝送方法であって、
端末デバイスが第１信号の伝送に使用する第１基本パラメータセットに基づいて、前記第１信号を伝送するリソースプールを確定することと、
前記端末デバイスが前記第１信号を伝送するリソースプール内の伝送リソースを使用して前記第１信号を伝送することとを含む
ことを特徴とする信号伝送方法。
【請求項２】
前記端末デバイスが第１信号の伝送に使用する第１基本パラメータセットに基づいて、前記第１信号を伝送するリソースプールを確定する前に、前記方法は、さらに、
前記端末デバイスが少なくとも１つのリソースプールと少なくとも１つの基本パラメータセットとの対応関係を取得することを含み、
前記対応関係は、前記少なくとも１つの基本パラメータセット内の各基本パラメータセットが１つ以上のリソースプールに対応することを示すために用いられ、
前記少なくとも１つの基本パラメータセットは、前記第１基本パラメータセットを含み、
前記端末デバイスが第１信号の伝送に使用する第１基本パラメータセットに基づいて、前記第１信号を伝送するリソースプールを確定することは、
前記端末デバイスが前記第１信号の伝送に使用する前記第１基本パラメータセット及び前記対応関係に基づいて、前記少なくとも１つのリソースプールから前記第１信号を伝送する前記リソースプールを確定することを含む
ことを特徴とする請求項１に記載の信号伝送方法。
【請求項３】
前記端末デバイスが少なくとも１つのリソースプールと少なくとも１つの基本パラメータセットとの対応関係を取得することは、
前記端末デバイスがネットワークデバイスにより送信された第１指示情報を受信することと、
前記端末デバイスが前記第１指示情報に基づいて前記少なくとも１つのリソースプールと前記少なくとも１つの基本パラメータセットとの前記対応関係を取得することとを含み、
前記第１指示情報は、前記対応関係を示すために用いられる
ことを特徴とする請求項２に記載の信号伝送方法。
【請求項４】
前記端末デバイスが前記第１信号の伝送に使用する前記第１基本パラメータセット及び前記対応関係に基づいて、前記少なくとも１つのリソースプールから前記第１信号を伝送するリソースプールを確定することは、
前記対応関係に示す前記第１基本パラメータセットに対応するリソースプールが複数である場合、前記端末デバイスが複数のリソースプールから前記第１信号を伝送するリソースプールを確定することを含む
ことを特徴とする請求項２又は３に記載の信号伝送方法。
【請求項５】
前記端末デバイスが複数のリソースプールからリソースプールを確定することは、
前記複数のリソースプールから１つのリソースプールをランダムに選択して、前記第１信号を伝送するリソースプールとすること、又は、
前記端末デバイスが前記端末デバイスの伝送パラメータに基づいてリソースプールインデックスを確定し、前記リソースプールインデックスに基づいて前記複数のリソースプールから前記第１信号を伝送するリソースプールを確定すること、又は、
前記端末デバイスが前記複数のリソースプールに対して負荷測定を行った後、負荷が一番低い又は第１閾値より低いリソースプールを選択して、前記第１信号を伝送するリソースプールとすることを含む
ことを特徴とする請求項４に記載の信号伝送方法。
【請求項６】
前記端末デバイスが複数のリソースプールから前記第１信号を伝送するリソースプールを確定する前に、前記方法は、さらに、
前記端末デバイスがネットワークデバイスにより送信された第２指示情報を受信することを含み、前記第２指示情報は、前記端末デバイスが前記第１信号の伝送に使用するリソースプールインデックスを示すために用いられ、
前記端末デバイスが前記複数のリソースプールからリソースプールを確定することは、
前記端末デバイスが前記第２指示情報が示すリソースプールインデックスに基づいて、前記複数のリソースプールから前記第１信号を伝送するリソースプールを確定することを含む
ことを特徴とする請求項４に記載の信号伝送方法。
【請求項７】
前記端末デバイスが第１信号の伝送に使用する第１基本パラメータセットに基づいて、前記第１信号を伝送するリソースプールを確定する前に、前記方法は、さらに、
前記端末デバイスが前記第１信号の伝送に使用する前記第１基本パラメータセットを確定することを含む
ことを特徴とする請求項１〜６のいずれか１項に記載の信号伝送方法。
【請求項８】
前記端末デバイスが前記第１信号の伝送に使用する前記第１基本パラメータセットを確定することは、
前記端末デバイスが前記第１信号のサビースタイプ、周波数帯及びパスロスパラメータのうちの少なくとも１つに基づいて、前記第１信号の伝送に使用する前記第１基本パラメータセットを確定することを含む
ことを特徴とする請求項７に記載の信号伝送方法。
【請求項９】
前記端末デバイスが前記第１信号の伝送に使用する前記第１基本パラメータセットを確定することは、
前記端末デバイスがネットワークデバイスにより送信された第３指示情報を受信することと、
前記端末デバイスが前記第３指示情報に基づいて、前記第１信号の伝送に使用する前記第１基本パラメータセットを確定することとを含み、
前記第３指示情報は、前記第１信号の伝送に使用する前記第１基本パラメータセットを示すために用いられる
ことを特徴とする請求項７に記載の信号伝送方法。
【請求項１０】
前記端末デバイスが前記第１信号の伝送に使用する前記第１基本パラメータセットを確定することは、
前記端末デバイスが、前記第１信号以外の第２信号を検定し、前記第２信号の伝送に使用する基本パラメータセットを前記第１信号の伝送に使用する第１基本パラメータセットとして確定することを含む
ことを特徴とする請求項７に記載の信号伝送方法。
【請求項１１】
前記端末デバイスが前記第１信号を伝送するリソースプール内の伝送リソースを使用して前記第１信号を伝送することは、
前記端末デバイスが、前記第１信号を伝送するリソースプールに含まれる少なくとも１つの伝送リソースから伝送リソースをランダムに選択して、前記第１信号を伝送すること、又は、
前記端末デバイスが、前記端末デバイスの伝送パラメータに基づいて伝送リソースインデックスを確定し、伝送リソースインデックスに基づいて前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送すること、又は、
前記端末デバイスが、予め構成された伝送リソースインデックスに基づいて前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送すること、又は、
前記端末デバイスが、前記第１信号を伝送するリソースプールに含まれる少なくとも１つの伝送リソースに負荷測定を行い、負荷が一番低い又は第２閾値より低い伝送リソースを選択し、前記負荷が一番低い又は第２閾値より低い伝送リソースにおいて前記第１信号を伝送することを含む
ことを特徴とする請求項１〜１０のいずれか１項に記載の信号伝送方法。
【請求項１２】
前記リソースプールは、少なくとも１つの伝送リソースを含み、
前記少なくとも１つの伝送リソースの各伝送リソースは、物理的な時間周波数リソース及び/又はシーケンスリソースを含む
ことを特徴とする請求項１〜１１のいずれか１項に記載の信号伝送方法。
【請求項１３】
前記基本パラメータセットは、
サブキャリア間隔、システム帯域幅に含まれるサブキャリアの数、物理リソースブロックＰＲＢに含まれるサブキャリアの数、直交周波数分割多重ＯＦＤＭのシンボルの長さ、ＯＦＤＭ信号の生成に使用する高速フーリエ変換ＦＦＴ又は高速フーリエ逆変換ＩＦＦＴの点数、伝送時間間隔ＴＴＩに含まれるＯＦＤＭシンボルの数、第１時間帯に含まれるＴＴＩ数及び前記第１信号のサイクリックプレフィックスＣＰタイプのうちの少なくとも１つを含む
ことを特徴とする請求項１〜１２のいずれか１項に記載の信号伝送方法。
【請求項１４】
前記第１信号は、ランダムアクセス信号、データ信号又はアップリンク制御信号である
ことを特徴とする請求項１〜１３のいずれか１項に記載の信号伝送方法。
【請求項１５】
信号伝送装置であって、
第１信号の伝送に使用する第１基本パラメータセットに基づいて、前記第１信号を伝送するリソースプールを確定するように構成される確定モジュールと、
前記第１信号を伝送するリソースプール内の伝送リソースを使用して、前記第１信号を伝送するように構成される伝送モジュールとを含む
ことを特徴とする信号伝送装置。
【請求項１６】
前記装置は、さらに、取得モジュールを含み
前記取得モジュールは、前記第１信号の伝送に使用する第１基本パラメータセットに基づいて前記第１信号を伝送するリソースプールを確定する前に、少なくとも１つのリソースプールと少なくとも１つの基本パラメータセットとの対応関係を取得するように構成され、前記対応関係は、前記少なくとも１つの基本パラメータセット内の各基本パラメータセットが１つ以上のリソースプールに対応することを示すために用いられ、前記少なくとも１つの基本パラメータセットは、前記第１基本パラメータセットを含み、
前記確定モジュールは、具体的に、前記第１信号の伝送に使用する前記第１基本パラメータセット及び前記対応関係に基づいて、前記少なくとも１つのリソースプールから前記第１信号を伝送する前記リソースプールを確定するように構成される
ことを特徴とする請求項１５に記載の信号伝送装置。
【請求項１７】
前記取得モジュールは、具体的に、
ネットワークデバイスにより送信された第１指示情報を受信し、第１指示情報に基づいて前記少なくとも１つのリソースプールと前記少なくとも１つの基本パラメータセットとの前記対応関係を取得するように構成され、
前記第１指示情報は、前記対応関係を示すために用いられる
ことを特徴とする請求項１６に記載の信号伝送装置。
【請求項１８】
前記確定モジュールは、具体的に、
前記対応関係に示す前記第１基本パラメータセットに対応するリソースプールが複数である場合、複数のリソースプールから前記第１信号を伝送するリソースプールを確定するように構成される
ことを特徴とする請求項１６又は１７に記載の信号伝送装置。
【請求項１９】
前記確定モジュールは、具体的に、
前記複数のリソースプールから１つのリソースプールをランダムに選択して、前記第１信号を伝送るリソースプールとし、又は、
前記装置の伝送パラメータに基づいてリソースプールインデックスを確定し、前記リソースプールインデックスに基づいて前記複数のリソースプールから前記第１信号を伝送するリソースプールを確定し、又は、
前記複数のリソースプールに対して負荷測定を行った後、負荷が一番低い又は第１閾値より低いリソースプールを選択して、前記第１信号を伝送するリソースプールとするように構成される
ことを特徴とする請求項１８に記載の信号伝送装置。
【請求項２０】
前記装置は、さらに、受信モジュールを含み、
前記受信モジュールは、前記複数のリソースプールから前記第１信号を伝送するリソースプールを確定する前に、ネットワークデバイスにより送信された第２指示情報を受信するように構成され、前記第２指示情報は、前記装置前記第１信号の伝送に使用するリソースプールインデックスを示すために用いられ、
前記確定モジュールは、具体的に、
前記第２指示情報が示すリソースプールインデックスに基づいて、前記複数のリソースプールから前記第１信号を伝送するリソースプールを確定するように構成される
ことを特徴とする請求項１８に記載の信号伝送装置。
【請求項２１】
前記確定モジュールは、さらに、
前記第１信号の伝送に使用する第１基本パラメータセットに基づいて前記第１信号を伝送するリソースプールを確定する前に、前記第１信号の伝送に使用するための前記第１基本パラメータセットを確定するように構成される
ことを特徴とする請求項１５〜２０のいずれか１項に記載の信号伝送装置。
【請求項２２】
前記確定モジュールは、具体的に、
前記第１信号のサビースタイプ、周波数帯及びパスロスパラメータのうちの少なくとも１つに基づいて、前記第１信号の伝送に使用するための前記第１基本パラメータセットを確定するように構成される
ことを特徴とする請求項２１に記載の信号伝送装置。
【請求項２３】
前記確定モジュールは、具体的に、
ネットワークデバイスにより送信された第３指示情報を受信するように構成され、前記第３指示情報に基づいて前記第１信号の伝送に使用する前記第１基本パラメータセットを確定するように構成され、
前記第３指示情報は、前記第１信号の伝送に使用する前記第１基本パラメータセットを示すために用いられる
ことを特徴とする請求項２１に記載の信号伝送装置。
【請求項２４】
前記確定モジュールは、具体的に、
前記第１信号の以外の第２信号を検定し、前記第２信号の伝送に使用する基本パラメータセットを前記第１信号の伝送に使用する第１基本パラメータセットとして確定するように構成される
ことを特徴とする請求項２１に記載の信号伝送装置。
【請求項２５】
前記伝送モジュールは、具体的に、
前記第１信号を伝送するリソースプールに含まれる少なくとも１つの伝送リソースから伝送リソースをランダムに選択して前記第１信号を伝送し、又は、
前記装置の伝送パラメータに基づいて伝送リソースインデックスを確定し、伝送リソースインデックスに基づいて前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送し、又は、
予め構成された伝送リソースインデックスに基づいて、前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送し、又は、
前記第１信号を伝送するリソースプールに含まれる少なくとも１つの伝送リソースに負荷測定を行い、負荷が一番低い又は第２閾値より低い伝送リソースを選択し、前記負荷が一番低い又は第２閾値より低い伝送リソースにおいて前記第１信号を伝送するように構成される
ことを特徴とする請求項１５〜２４のいずれか１項に記載の信号伝送装置。
【請求項２６】
前記リソースプールは、少なくとも１つの伝送リソースを含み、
前記少なくとも１つの伝送リソースの各伝送リソースは、物理的な時間周波数リソース及び/又はシーケンスリソースを含む
ことを特徴とする請求項１５〜２５のいずれか１項に記載の信号伝送装置。
【請求項２７】
前記基本パラメータセットは、
サブキャリア間隔、システム帯域幅に含まれるサブキャリアの数、物理リソースブロックＰＲＢに含まれるサブキャリアの数、直交周波数分割多重ＯＦＤＭのシンボルの長さ、ＯＦＤＭ信号の生成に使用する高速フーリエ変換ＦＦＴ又は高速フーリエ逆変換ＩＦＦＴの点数、伝送時間間隔ＴＴＩに含まれるＯＦＤＭシンボルの数、第１時間帯に含まれるＴＴＩ数及び前記第１信号のサイクリックプレフィックスＣＰタイプのうちの少なくとも１つを含む
ことを特徴とする請求項１５〜２６のいずれか１項に記載の信号伝送装置。
【請求項２８】
前記第１信号は、ランダムアクセス信号、データ信号又はアップリンク制御信号である
ことを特徴とする請求項１５〜２７のいずれか１項に記載の信号伝送装置。
【発明の詳細な説明】
【技術分野】
【０００１】
本発明は通信分野に関し、特に、通信分野における信号伝送方法及び装置に関する。
【背景技術】
【０００２】
未来の通信システムにおいて、競合に基づくアップリンクアクセス方式を導入して端末デバイスに特定のリソースプールに割り当てる。端末デバイスは、ネットワークデバイスによるスケジューリングが存在しない場合に、競合の方式でリソースプール内のリソースを競合してランダムアクセスを行い、又は競合の方式でリソースプール内のリソースを競合して伝送データを行う。端末デバイスに特定のリソースプールに割り当てるが、端末デバイスが当該特定のリソースプールを要しなく、他のリソースプールを要する可能性があるため、リソースプールをどのように選択するのは、解決しようとする課題となっている。例えば、端末デバイスが異なるサービスタイプをサポートし、異なるサービスタイプに対して異なるリソースプール内のリソースを使用してデータを伝送する必要があり、端末デバイスに特定のリソースプールに割り当てる場合、端末デバイスの異なるサービスの伝送要求を満たしているのは難しい。
【発明の概要】
【０００３】
本発明の実施例は、リソースプール選択の柔軟性を向上させることができる信号伝送方法及び装置を提供する。
【０００４】
第１形態は、信号伝送方法を提供し、当該方法は、端末デバイスが第１信号の伝送に使用する第１基本パラメータセットに基づいて、前記第１信号を伝送するリソースプールを確定することと、前記端末デバイスが前記第１信号を伝送するリソースプール内の伝送リソースを使用して前記第１信号を伝送することとを含む。
【０００５】
そして、端末デバイスは、第１基本パラメータセットに基づいて対応するリソースプールを取得してから、リソースプール内の伝送リソースを使用して前記第１信号を伝送することができ、このように、端末デバイスは、基本パラメータセットに基づいて対応するリソースプールを確定し、従来技術において端末デバイスに特定のリソースプールを割り当てることを回避し、端末デバイスは、前記第１基本パラメータセットに基づいて前記第１信号に対応するリソースプールを確定することができ、リソースプールの選択の柔軟性を向上させることができる。
【０００６】
さらに、異なるサービス要求に対して異なるリソースプールを選択することができ、例えば、当該第１信号が第１サービスタイプである時に第１リソースプールを選択し、当該第１信号が第２サービスタイプである特に第２リソースプールを選択し、このように、異なるサービスの要求を満たしていることができる。
【０００７】
第１形態の第１実現可能な形態において、前記第１基本パラメータセット及び／又は前記少なくとも１つの基本パラメータセット内の各基本パラメータセットは、サブキャリア間隔、システム帯域幅に含まれるサブキャリアの数、物理リソースブロック（ＰＲＢ：Ｐｈｙｓｉｃａｌ  Ｒｅｓｏｕｒｃｅ  Ｂｌｏｃｋ）に含まれるサブキャリアの数、直交周波数分割多重ＯＦＤＭのシンボルの長さ、ＯＦＤＭ信号の生成に使用する高速フーリエ変換(ＦＦＴ：Ｆａｓｔ  Ｆｏｕｒｉｅｒ  Ｔｒａｎｓｆｏｒｍａｔｉｏｎ)又は高速フーリエ逆変換(ＩＦＦＴ：Ｉｎｖｅｒｓｅ  Ｆｏｕｒｉｅｒ  Ｔｒａｎｓｆｏｒｍａｔｉｏｎ)の点数、伝送時間間隔（ＴＴＩ：Ｔｒａｎｓｍｉｓｓｉｏｎ  ＴｉｍｅＩｎ  ｔｅｒｖａｌ）に含まれるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの数、第１時間帯に含まれるＴＴＩ数及び前記第１信号のサイクリックプレフィックス（ＣＰ：Ｃｙｃｌｉｃ  Ｐｒｅｆｉｘ）タイプ信号及び信号ＣＰの時間長さのうちの少なくとも１つを含む。サブキャリア間隔は、隣接するサブキャリアの周波数の間隔、例えば１５ｋＨｚ、６０ｋＨｚ等を指し、特定システム帯域幅下のサブキャリアの数は、例えば、可能なシステム帯域幅に対応するサブキャリアの数であり、ＰＲＢに含まれるサブキャリアの数は、例えば６又は１６の整数倍であり、ＴＴＩ中に含まれるＯＦＤＭシンボルの数は、例えば２、４、７の整数倍であってもよいし、１４の整数倍であってもよく、第１時間帯に含まれるＴＴＩ数は、１ｍｓ又は１０ｍｓの時間長さに含まれるＴＴＩの数を指し、第１信号ＣＰタイプは、サイクリックプレフィックスに通常ＣＰ又は拡張ＣＰを使用するかを示し、信号ＣＰの時間長さは、第１信号のＣＰの時間長さである。
【０００８】
選択可能で、基本パラメータセットは、さらに、将来のネットワークシステムに新たに定義されたリソース分割の基本パラメータを含み、例えば、基本周波数領域ユニット、基本周波数領域ユニットパターン、サブキャリアパターン、参照シンボルの時間領域ユニットに占用する位置、単位周期内のＴＴＩパターン、フレーム内のサブフレームのパターン、サブフレーム内のタイムスロットのパターン、タイムスロットにおけるＯＦＤＭパターン等であってもよい。
【０００９】
第１形態の上記の実現可能な形態を結合し、第１形態の第２実現可能な形態において、前記端末デバイスが第１信号の伝送に使用する第１基本パラメータセットに基づいて、前記第１信号を伝送するリソースプールを確定する前に、前記方法は、さらに、
前記端末デバイスが少なくとも１つのリソースプールと少なくとも１つの基本パラメータセットとの対応関係を取得することを含み、前記対応関係は、前記少なくとも１つの基本パラメータセット内の各基本パラメータセットが１つ以上のリソースプールに対応することを示すために用いられ、前記少なくとも１つの基本パラメータセットは、前記第１基本パラメータセットを含み、ここで、前記端末デバイスが第１信号の伝送に使用する第１基本パラメータセットに基づいて、前記第１信号を伝送するリソースプールを確定することは、前記端末デバイスが前記第１信号の伝送に使用する前記第１基本パラメータセット及び前記対応関係に基づいて、前記少なくとも１つのリソースプールから前記第１信号を伝送する前記リソースプールを確定することを含む。
【００１０】
選択可能で、少なくとも１つのリソースプールと少なくとも１つの基本パラメータセットとの対応関係について、少なくとも１つのリソースプール内の１つのリソースプールが１つの基本パラメータセットに対応してもよいし、１つの基本パラメータセットが１つ以上のリソースプールに対応してもよく、即ち、異なるリソースプールは同じ基本パラメータセットに対応してもよい。
【００１１】
第１形態の上記の実現可能な形態を結合し、第１形態の第３実現可能な形態において、前記端末デバイスが少なくとも１つのリソースプールと少なくとも１つの基本パラメータセットとの対応関係を取得することは、前記端末デバイスがネットワークデバイスにより送信された第１指示情報を受信することと、前記端末デバイス第１指示情報に基づいて前記少なくとも１つのリソースプールと前記少なくとも１つの基本パラメータセットとの前記対応関係を取得することとを含み、前記第１指示情報は、前記対応関係を示すために用いられる。
【００１２】
選択可能で、端末デバイスは、ネットワークデバイスがユーザー専用シグナリングにより送信した第１指示情報を受信してもよいし、ネットワークデバイスがブロードキャストシグナリングにより送信した第１指示情報を受信してもよいし、ネットワークデバイスがダウンリンク制御情報（ＤＣＩ：Ｄｏｗｎｌｉｎｋ  Ｃｏｎｔｒｏｌ  Ｉｎｆｏｒｍａｔｉｏｎ）により送信した第１指示情報を受信してもよいし、ネットワークデバイスが他の方式により送信した第１指示情報を受信してもよい。
【００１３】
第１形態の上記の実現可能な形態を結合し、第１形態の第４実現方式において、前記端末デバイスが前記第１信号の伝送に使用する前記第１基本パラメータセット及び前記対応関係に基づいて、前記少なくとも１つのリソースプールから前記第１信号を伝送するリソースプールを確定することは、前記対応関係に示す前記第１基本パラメータセットに対応するリソースプールが複数である場合、前記端末デバイスが複数のリソースプールから前記第１信号を伝送するリソースプールを確定することを含む。
【００１４】
第１形態の上記の実現可能な形態を結合し、第１形態の第５実現方式において、前記端末デバイスが複数のリソースプールからリソースプールを確定することは、
前記複数のリソースプールから１つのリソースプールをランダムに選択して、前記第１信号を伝送するリソースプールとすること、又は、
前記端末デバイスが前記端末デバイスの伝送パラメータに基づいてリソースプールインデックスを確定し、前記リソースプールインデックスに基づいて前記複数のリソースプールから前記第１信号を伝送するリソースプールを確定すること、又は、
前記端末デバイスが前記複数のリソースプールの負荷に基づいて選択を行い、選択可能で、前記端末デバイスが前記複数のリソースプールに対して負荷測定を行った後、負荷が一番低い又は第１閾値より低いリソースプールを選択して、前記第１信号を伝送するリソースプールとすることを含む。
【００１５】
具体的に、端末デバイスが少なくとも１つのリソースプールから１つのリソースプールを確定した場合、当該リソースプール内のリソースを使用して前記第１信号を伝送し、端末デバイスが少なくとも１つのリソースプールから複数のリソースプールを確定した場合、以下の３つの方式で当該複数のリソースプールからリソースプールを確定する。第１方式として、複数のリソースプールからリソースプールとして１つのリソースプールをランダムに選択する。第２方式として、端末デバイスは、伝送パラメータに基づいてリソースプールインデックスを計算し、例えば、無線ネットワークテンポラリアイデンティティ(ＲＮＴＩ：Ｒａｄｉｏ  Ｎｅｔｗｏｒｋ  Ｔｅｍｐｏｒｙ  Ｉｄｅｎｔｉｔｙ)又は端末デバイスのアクセスセルの識別子に基づいてリソースプールのインデックスを計算し、リソースプールインデックスに基づいて複数のリソースプールからリソースプールを確定する。第３方式として、端末デバイスは、複数のリソースプールに対して負荷測定を行い、複数のリソースプールから負荷が一番低いリソースプールを選択してリソースプールとし、例えば、複数のリソースプールに受信された信号の電力の大きさを検定し、信号の平均受信電力が一番小さいリソースプールを選択してリソースプールとし、信号の平均受信電力が一番小さいリソースプールが複数である場合、これらのリソースプールから１つのリソースプールを任意に選択してリソースプールとする。
【００１６】
第１形態の上記の実現可能な形態を結合し、第１形態の第６実現方式において、前記端末デバイスが複数のリソースプールから前記第１信号を伝送するリソースプールを確定する前に、前記方法は、さらに、前記端末デバイスがネットワークデバイスにより送信された第２指示情報を受信することを含み、前記第２指示情報は、前記端末デバイスが前記第１信号の伝送に使用するリソースプールインデックスを示すために用いられ、ここで、前記端末デバイスが前記複数のリソースプールからリソースプールを確定することは、前記端末デバイスが前記第２指示情報が示すリソースプールインデックスに基づいて、前記複数のリソースプールから前記第１信号を伝送するリソースプールを確定することを含む。
【００１７】
第１形態の上記の実現可能な形態を結合し、第１形態の第７実現方式において、前記端末デバイスが第１信号の伝送に使用する第１基本パラメータセットに基づいて、前記第１信号を伝送するリソースプールを確定する前に、前記方法は、さらに、前記端末デバイスが前記第１信号の伝送に使用する前記第１基本パラメータセットを確定することを含む。
【００１８】
第１形態の上記の実現可能な形態を結合し、第１形態の第８実現方式において、前記端末デバイスが前記第１信号の伝送に使用する第１基本パラメータセットを確定することは、前記端末デバイスが前記第１信号のサービスタイプに基づいて前記第１信号の伝送に使用する前記第１基本パラメータセットを確定すること、前記端末デバイスが伝送前記第１信号の周波数帯に基づいて前記第１信号の伝送に使用する前記第１基本パラメータセットを確定すること、前記端末デバイスがネットワークデバイスとのパスロスパラメータに基づいて前記第１信号の伝送に使用する前記第１基本パラメータセットを確定することのうちの少なくとも１つを含む。
【００１９】
第１形態の上記の実現可能な形態を結合し、第１形態の第９実現方式において、前記端末デバイスが前記第１信号の伝送に使用する前記第１基本パラメータセットを確定することは、前記端末デバイスがネットワークデバイスにより送信された第３指示情報を受信することと、前記端末デバイスが前記第３指示情報に基づいて前記第１信号の伝送に使用する前記第１基本パラメータセットを確定することとを含み、前記第３指示情報は、前記第１信号の伝送に使用する前記第１基本パラメータセットを示すために用いられる。
【００２０】
具体的に、ネットワークデバイスは、端末デバイスに第３指示情報を送信して、端末デバイスが前記第１信号の伝送に使用する第１基本パラメータセットを指示し、選択可能で、端末デバイスは、ネットワークデバイスがユーザー専用シグナリングにより送信した第３指示情報を受信してもよいし、ネットワークデバイスがブロードキャストシグナリングにより送信した第３指示情報を受信してもよいし、ネットワークデバイスがダウンリンク制御情報（ＤＣＩ：Ｄｏｗｎｌｉｎｋ  Ｃｏｎｔｒｏｌ  Ｉｎｆｏｒｍａｔｉｏｎ）により送信した第３指示情報を受信してもよいし、ネットワークデバイスが他の方式により送信した第３指示情報を受信してもよい。
【００２１】
第１形態の上記の実現可能な形態を結合し、第１形態の第１０実現方式において、前記端末デバイスが前記第１信号の伝送に使用する前記第１基本パラメータセットを確定することは、前記端末デバイスは、前記第１信号の以外の第２信号の基本パラメータセットを検定し、前記第２信号の基本パラメータセットを前記第１信号として確定する。即ち、端末デバイスは、自分の伝送する信号の以外の他の信号に使用する基本パラメータセットを検定し、他の信号の基本パラメータセットを自分の第１基本パラメータセットとしてもよい。
【００２２】
第１形態の上記の実現可能な形態を結合し、第１形態の第１１実現方式において、前記端末デバイスが前記第１信号を伝送するリソースプール内の伝送リソースを使用して前記第１信号を伝送することは、
前記端末デバイスが、前記第１信号を伝送するリソースプールに含まれる少なくとも１つの伝送リソースから伝送リソースをランダムに選択して、前記第１信号を伝送すること、又は、
前記端末デバイスが、前記端末デバイスの伝送パラメータに基づいて伝送リソースインデックスを確定し、伝送リソースインデックスに基づいて前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送すること、又は、
前記端末デバイスが、予め構成された伝送リソースインデックスに基づいて前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送すること、又は、
前記端末デバイスが、前記第１信号を伝送するリソースプールに含まれる少なくとも１つの伝送リソースに負荷測定を行い、負荷が一番低い又は第２閾値より低い伝送リソースを選択し、前記負荷が一番低い又は第２閾値より低い伝送リソースにおいて前記第１信号を伝送することを含む。
【００２３】
具体的に、第１信号を伝送するリソースプールには少なくとも１つの伝送リソースが含まれ、第１信号を伝送するリソースプールからどのように前記第１信号を伝送するための伝送リソースを確定するのは、以下の４つの方式によって確定する。第１方式として、リソースプールに含まれる少なくとも１つの伝送リソースから１つの伝送リソースをランダムに選択して、前記第１信号を伝送する。第２方式として、端末デバイスの伝送パラメータに基づいて伝送リソースインデックスを計算し、例えば、伝送パラメータが端末デバイスの無線ネットワークテンポラリアイデンティティ又は前記端末デバイスのセル識別子であり、伝送リソースインデックスを算出してから、伝送リソースインデックスに基づいてリソースプールに含まれる少なくとも１つの伝送リソースから前記第１信号を伝送するための伝送リソースを確定する。第３方式として、端末デバイスは、予め構成された伝送リソースインデックスを保留しており、予め構成された伝送リソースインデックスに基づいて少なくとも１つの伝送リソースから前記第１信号を伝送するためのリソースを確定する。第４方式として、端末デバイスは、リソースプールに含まれる少なくとも１つの伝送リソースに対し測定を行い、負荷が一番低い伝送リソースを選択して前記信号を伝送するためのリソースとし、例えば、端末デバイスは、リソースプールに含まれる少なくとも１つの伝送リソースの各伝送リソースの信号受信電力を測定し、信号平均受信電力の一番低い伝送リソースを選定して前記第１信号を伝送するためのリソースとし、さらに、信号平均受信電力の一番低い伝送リソースが複数である場合、複数の伝送リソースから１つの伝送リソース伝送前記第１信号を任意に選択してもよい。
【００２４】
第１形態の上記の実現可能な形態を結合し、第１形態の第１２実現方式において、前記リソースプールは、少なくとも１つの伝送リソースを含み、前記リソースプールは、第１信号を伝送するリソースプール及び／又は対応関係に含まれる少なくとも１つのリソースプールであってもよく、前記少なくとも１つの伝送リソース内の各伝送リソースは、物理的な時間周波数リソース及び／又はシーケンスリソースを含み、ここで、シーケンスリソースは、１つのシーケンスセット内のシーケンスであってもよいし、１つのコードブックのコードワードであってもよいし、１つのインターレースパターンであってもよい、さらに、少なくとも１つのリソースプール内の各リソースプール内の伝送リソースが互いに直交し、少なくとも１つのリソースプールの各リソースプールが互いに直交することは、物理的な時間周波数リソースが互いに直交してもよいし、シーケンスリソースが互いに直交してもよいし、物理的な時間周波数リソースが互いに直交し且つシーケンスリソースが互いに直交してもよい。
【００２５】
第１形態の上記の実現可能な形態を結合し、第１形態の第１３実現方式において、前記第１信号は、ランダムアクセス信号、データ信号又はアップリンク制御信号である。
【００２６】
第２形態は、信号伝送方法を提供し、当該方法は、ネットワークデバイスが端末デバイスに第１指示情報を送信することを含み、前記第１指示情報は、前記対応関係を示すために用いられ、前記対応関係は、前記少なくとも１つの基本パラメータセット内の各基本パラメータセットが１つ以上のリソースプールに対応することを示すために用いられる。
【００２７】
第１形態の第１実現可能な形態において、ネットワークデバイスが前記端末デバイスに第２指示情報を送信し、前記第２指示情報は、前記端末デバイスが前記第１信号の伝送に使用するリソースプールインデックスを示すために用いられ、そして、前記端末デバイスが前記第２指示情報が示すリソースプールインデックスに基づいて、前記複数のリソースプールから前記第１信号を伝送するリソースプールを確定する。
【００２８】
第１形態の上記の実現可能な形態を結合し、第１形態の第２実現方式において、前記ネットワークデバイスが前記端末デバイスに第３指示情報を送信し、前記第３指示情報は、前記第１信号の伝送に使用する前記第１基本パラメータセットを示すために用いられ、そして、前記端末デバイスが前記第３指示情報に基づいて前記第１信号の伝送に使用する前記第１基本パラメータセットを確定する。
【００２９】
第３形態は、上記の第１形態又は第１形態のいかなる実現可能な形態の方法を実行するように構成される信号伝送装置を提供する。具体的に、当該当該装置は、上記の第１形態又は第１形態のいかなる実現可能な形態の方法を実行するように構成されるユニットを含む。
【００３０】
第４形態は、上記の第２形態又は第２形態のいかなる実現可能な形態の方法を実行するように構成される信号伝送装置を提供する。具体的に、当該当該装置は、上記の第２形態又は第２形態のいかなる実現可能な形態の方法を実行するように構成されるユニットを含む。
【００３１】
第５形態は、信号伝送装置を提供し、当該信号伝送装置は、受信機、送信機、メモリー、プロセッサ、及びバスシステムを含む。ここで、当該受信機、当該送信機、当該メモリー、当該プロセッサが当該バスシステムにより接続され、当該メモリーが命令を記憶し、当該プロセッサが当該メモリーに記憶された命令を実行し、受信機が信号を受信し、送信機が信号を出力するように制御し、当該命令が実行される場合、当該プロセッサは、第１形態又は第１形態のいかなる実現可能な形態の方法を実行する。
【００３２】
第６形態は、信号伝送装置を提供し、当該信号伝送装置は、受信機、送信機、メモリー、プロセッサ、及びバスシステムを含む。ここで、当該受信機、当該送信機、当該メモリー、当該プロセッサが当該バスシステムにより接続され、当該メモリーが命令を記憶し、当該プロセッサが当該メモリーに記憶された命令を実行し、受信機が信号を受信し、送信機が信号を出力するように制御し、当該命令が実行される場合、当該プロセッサは、第２形態又は第２形態のいかなる実現可能な形態の方法を実行する。
【００３３】
第７形態は、コンピュータ可読記憶媒体を提供し、前記コンピュータ可読記憶媒体にはプログラムが記憶され、前記プログラムには第１形態又は第１形態のいかなる実現可能な形態の方法を実現するための命令が含まれる。
【００３４】
第８形態は、コンピュータ可読記憶媒体を提供し、前記コンピュータ可読記憶媒体にはプログラムが記憶され、前記プログラムには第２形態又は第２形態のいかなる実現可能な形態の方法を実現するための命令が含まれる。
【図面の簡単な説明】
【００３５】
本開示の上記および他の特徴およびメリットは、添付の図面を参照して詳細に説明する例示的な実施形態により、より明らかになる。なお、以下の記載における図面はただ本発明の一部の実施例に過ぎず、当業者の場合、創造的な労働を付与しない前提で、これらの図面によって他の図面を得ることができる。
【図１】本発明の実施例における信号伝送方法の模式図である。
【図２】本発明の実施例における信号伝送装置のブロック図である。
【図３】本発明の実施例における他の信号伝送装置のブロック図である。
【発明を実施するための形態】
【００３６】
本発明の実施例の技術的な解決策をより明確に説明するため、以下に実施例又は従来技術の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【００３７】
なお、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワールドワイドインターオペラビリティフォーマイクロウェーブアクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、及び将来の通信システムなどに応用されることができる。
【００３８】
なお、本発明の実施例において、端末デバイスがユーザー装置（ＵＥ：Ｕｓｅｒ  Ｅｑｕｉｐｍｅｎｔ）、端末デバイス、移動台（ＭＳ：Ｍｏｂｉｌｅ  Ｓｔａｔｉｏｎ）、移動端末（Ｍｏｂｉｌｅ  Ｔｅｒｍｉｎａｌ）又は未来の５Ｇネットワークにおける端末デバイス等であってもよく、当該端末デバイスは、無線アクセスネットワーク（ＲＡＮ：Ｒａｄｉｏ  Ａｃｃｅｓｓ  Ｎｅｔｗｏｒｋ）を介して１つ以上のコアネットワークと通信することができ、例えば、端末は移動電話（「セルラ」電話とも言われる）、移動端末を備えるコンピューターであっても良いし、携帯型、ポケット型、ハンドヘルド型、コンピュータ内蔵又は車載の移動装置であってもよく、これらは無線アクセスネットワークと音声及び／又はデータを交換する。
【００３９】
ネットワークデバイスは端末デバイスと通信するためのデバイスであっても良く、例えばＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）システム又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  ＮｏｄｅＢ）であってよく、又は該基地局は中継局、アクセスポイント、車載デバイス、ウェアラブルデバイス及び将来の５Ｇネットワークにおけるアクセスデバイスなどであっても良い。
【００４０】
図１は本発明の実施例における信号伝送方法１００のフローチャートを示す。図１は信号伝送方法のステップや操作を示しているが、これらのステップや操作が例示的なものであり、本発明の実施例は、他の操作又は図１の各操作の変形を実行してもよく、当該方法１００は、Ｓ１１０及びＳ１２０を含む。
【００４１】
Ｓ１１０において、端末デバイスは、第１信号の伝送に使用する第１基本パラメータセット（ｎｕｍｅｒｏｌｏｇｙ）に基づいて、前記第１信号を伝送するリソースプールを確定する。
【００４２】
Ｓ１２０において、前記端末デバイスが前記第１信号を伝送するリソースプール内の伝送リソースを使用して前記第１信号を伝送する。
【００４３】
選択可能で、Ｓ１１０において、端末デバイスは、基本パラメータセットとリソースプールとの対応関係に基づいて、第１信号を伝送するリソースプールを確定してもよいし、予め設定された基本パラメータセットとリソースプールとの内在関係又はロジック関係に基づいて、前記第１信号を伝送するリソースプールを確定してもよいし、他の方式で第１基本パラメータセットに基づいて前記第１信号を伝送するリソースプールを確定してもよい。
【００４４】
そして、端末デバイスは、第１基本パラメータセットに基づいて対応するリソースプールを取得してから、リソースプール内の伝送リソースを使用して前記第１信号を伝送することができ、このように、端末デバイスは、基本パラメータセットに基づいて対応するリソースプールを確定し、従来技術において端末デバイスに特定のリソースプールを割り当てることを回避し、端末デバイスは、前記第１基本パラメータセットに基づいて前記第１信号に対応するリソースプールを確定することができ、リソースプールの選択の柔軟性を向上させることができる。
【００４５】
さらに、異なるサービス要求に対して異なるリソースプールを選択することができ、例えば、当該第１信号が第１サービスタイプである時に、第１リソースプールを選択し、当該第１信号が第２サービスタイプである時に、第２リソースプールを選択し、このように、異なるサービスの要求を満たしていることができる。
【００４６】
選択可能で、第１信号がランダムアクセス信号であってもよく、例えば、Ｐｒｅａｍｂｌｅ信号又は物理ランダムアクセスチャネル（ＰＲＡＣＨ：ＰｈｙＳｉｃａｌ  Ｒａｎｄｏｍ  Ａｃｃｅｓｓ  Ｃｈａｎｎｅｌ）、データ信号、アップリンク制御信号、（例えば、ＰＵＣＣＨ：ＰｈｙＳｉｃａｌ  Ｕｐｌｉｎｋ  Ｃｏｎｔｒｏｌ  Ｃｈａｎｎｅｌ又はＳｃｈｅｄｕｌｅ  Ｒｅｑｕｅｓｔ等）等であり、本発明の実施例はこれに限定しない。
【００４７】
１つの選択可能な実施例として、Ｓ１１０の前に、前記方法１００は、さらに、前記端末デバイスが少なくとも１つのリソースプールと少なくとも１つの基本パラメータセットとの対応関係を取得することを含み、前記対応関係は、前記少なくとも１つの基本パラメータセット内の各基本パラメータセットが１つ以上のリソースプールに対応することを示すために用いられ、前記少なくとも１つの基本パラメータセットは、前記第１基本パラメータセットを含み、ここで、Ｓ１１０は、前記端末デバイスが前記第１信号の伝送に使用する前記第１基本パラメータセット及び前記対応関係に基づいて、前記少なくとも１つのリソースプールから前記第１信号を伝送する前記リソースプールを確定することを含む。
【００４８】
１つの選択可能な実施例として、端末デバイスは２つの方式で少なくとも１つのリソースプールと少なくとも１つの基本パラメータセットの対応関係を取得することができる。第１方式として、ネットワークデバイスが端末に第１指示情報を送信し、当該第１指示情報は、前記対応関係を示すために用いられ、端末デバイスが当該第１指示情報を受信し、当該第１指示情報に基づいて前記少なくとも１つのリソースプールと前記少なくとも１つの基本パラメータセットとの対応関係を取得する。具体的に、ネットワークデバイスがユーザー専用シグナリング又はＤＣＩにより当該第１指示情報を送信し、端末デバイスがユーザー専用シグナリング又はＤＣＩにより当該第１指示情報を受信してもよく、または、ネットワークデバイスがプロトコルにより規定された方式で端末デバイスに当該第１指示情報を送信し、端末デバイスがプロトコルにより規定された方式でネットワークデバイスからの第１指示情報を受信してもよく、本発明の実施例はこれに限定しない。第２方式として、端末デバイスは、自身が保留している少なくとも１つのリソースプールと少なくとも１つの基本パラメータセットとの対応関係を取得してもよい。なお、例として、端末デバイスが当該対応関係を一回のみ取得し、その後、自身の基本パラメータセットに基づいてリソースプールを確定する際に、当該対応関係を使用してリソースプールを確定する。
【００４９】
選択可能で、少なくとも１つのリソースプールと少なくとも１つの基本パラメータセットとの対応関係について、少なくとも１つのリソースプール内の１つのリソースプールが１つの基本パラメータセットに対応してもよいし、１つの基本パラメータセットが１つ以上のリソースプールに対応してもよく、即ち、異なるリソースプールが同じ基本パラメータセットに対応してもよい。
【００５０】
選択可能で、前記第１信号を伝送するリソースプール及び／又は前記少なくとも１つのリソースプール内の各リソースプールは、少なくとも１つの伝送リソースを含み、及び／又は、前記第１信号を伝送するリソースプールは、少なくとも１つの伝送リソースを含み、前記少なくとも１つの伝送リソースの各伝送リソースは、物理的な時間周波数リソース及び／又はシーケンスリソースを含み、ここで、シーケンスリソースは１つのシーケンスセット内のシーケンスであってもよいし、１つのコードブックのコードワードであってもよいし、１つのインターレースパターンであってもよく、さらに、少なくとも１つのリソースプール内の各リソースプール内の伝送リソースが互いに直交し、少なくとも１つのリソースプールの各リソースプールが互いに直交することは、物理的な時間周波数リソースが互いに直交してもよいし、シーケンスリソースが互いに直交してもよいし、物理的な時間周波数リソースが互いに直交し且つシーケンスリソースが互いに直交してもよい。
【００５１】
なお、少なくとも１つのリソースプールと少なくとも１つの基本パラメータセットとの対応関係について、少なくとも１つのリソースプール内の１つのリソースプールが１つの基本パラメータセットに対応してもよいし、１つの基本パラメータセットが１つ以上のリソースプールに対応してもよく、即ち、異なるリソースプールが同じ基本パラメータセットに対応してもよい。
【００５２】
なお、本発明の実施例において、第１基本パラメータセット及び／又は前記少なくとも１つの基本パラメータセット内の各基本パラメータセットは、サブキャリア間隔、システム帯域幅に含まれるサブキャリアの数、ＰＲＢに含まれるサブキャリアの数、直交周波数分割多重ＯＦＤＭのシンボルの長さ、ＯＦＤＭ信号の生成に使用する高速フーリエ変換又は高速フーリエ逆変換の点数、伝送時間間隔ＴＴＩ含まれるＯＦＤＭシンボルの数、第１時間帯に含まれるＴＴＩ数、及び前記第１信号のサイクリックプレフィックスタイプ信号及び信号ＣＰの時間長さを含む。サブキャリア間隔は、隣接するサブキャリアの周波数間隔、例えば１５ｋＨｚ、６０ｋＨｚ等を指し、特定システム帯域幅下のサブキャリアの数は、例えば、可能なシステム帯域幅に対応するサブキャリアの数であり、ＰＲＢに含まれるサブキャリアの数は、例えば６又は１６の整数倍であり、ＴＴＩ中に含まれるＯＦＤＭシンボルの数は、例えば２、４、７の整数倍であってもよいし、１４の整数倍であってもよく、第１時間帯に含まれるＴＴＩの数は、１ｍｓ又は１０ｍｓの時間長さに含まれるＴＴＩの数を指し、第１信号ＣＰタイプは、サイクリックプレフィックスに通常ＣＰ又は拡張ＣＰを使用するかを示し、信号ＣＰの時間長さは、第１信号のＣＰの時間長さである。
【００５３】
選択可能で、基本パラメータセットは、さらに、将来のネットワークシステムに新たに定義されたリソース分割の基本パラメータを含み、例えば、基本周波数領域ユニット、基本周波数領域ユニットパターン、サブキャリアパターン、参照シンボルの時間領域ユニットに占用する位置、単位周期内のＴＴＩパターン、フレーム内のサブフレームのパターン、サブフレーム内のタイムスロットのパターン、タイムスロットにおけるＯＦＤＭパターン等であってもよい。
【００５４】
１つの選択可能な実施例として、Ｓ１１０に前に、前記方法１００は、さらに、前記端末デバイスが前記第１信号の伝送に使用する前記第１基本パラメータセットを確定することを含む。端末デバイスは以下の５つの方式で、信号の伝送に使用する第１基本パラメータセットを確定する。
【００５５】
第１方式として、前記端末デバイスは、前記第１信号のサービスタイプに基づいて前記第１信号の伝送に使用する前記第１基本パラメータセットを確定し、例えば、ネットワークデバイスと端末デバイスとは、第１サービスタイプに基本パラメータセット１を使用し、第２サービスタイプに基本パラメータセット２を使用することを予め約束し、前記第１信号が第１サービスタイプに属する場合、端末デバイスが基本パラメータセット１を第１基本パラメータセットとして確定し、前記第１信号が第２サービスタイプに属する場合、端末デバイスが基本パラメータセット２を第１基本パラメータセットとして確定する。
【００５６】
第２方式として、前記端末デバイスは、前記第１信号を伝送するための周波数帯に基づいて前記第１信号の伝送に使用する前記第１基本パラメータセットを確定し、例えば、端末デバイスとネットワークデバイスとは、第１動作周波数帯が基本パラメータセット３に対応し、第２動作周波数帯が基本パラメータセット４に対応することを予め約束し、端末デバイスが第１動作周波数帯において前記第１信号を伝送する場合、端末デバイスが基本パラメータセット３を第１基本パラメータセットとして確定し、端末デバイスが第２動作周波数帯において前記第１信号を伝送する場合、端末デバイスが基本パラメータセット４を第１基本パラメータセットとして確定する。
【００５７】
第３方式として、前記端末デバイスは、ネットワークデバイスとの間のパスロスパラメータに基づいて前記第１信号の伝送に使用する前記第１基本パラメータセットを確定し、例えば、端末デバイスとネットワークデバイスとは、パスロスパラメータが第１閾値より大きい場合、基本パラメータセット５を選択し、パスロスパラメータが第１閾値より小さい場合、基本パラメータセット６を選択し、端末デバイスは、ネットワークデバイスとの間のパスロスパラメータに基づいて判断を行い、基本パラメータセット５又は基本パラメータセット６選択し、それを第１基本パラメータセットとする。
【００５８】
第４方式として、ネットワークデバイスが端末デバイスに第３指示情報を送信し、前記端末デバイスがネットワークデバイスにより送信された第３指示情報を受信し、前記第３指示情報は、前記第１信号の伝送に使用する前記第１基本パラメータセットを示すために用いられ、前記端末デバイスが前記第３指示情報に基づいて前記第１信号の伝送に使用する前記第１基本パラメータセットを確定する。選択可能で、ネットワークデバイスがユーザー専用シグナリングにより端末デバイスに第３指示情報を送信し、端末デバイスがネットワークデバイスがユーザー専用シグナリングにより送信した第３指示情報を受信してもよく、ネットワークデバイスがブロードキャストシグナリングにより第３指示情報を送信し、端末デバイスがネットワークデバイスがブロードキャストシグナリングにより送信した第３指示情報を受信してもよく、ネットワークデバイスがＤＣＩにより端末デバイスに第３指示情報を送信し、端末デバイスがネットワークデバイスがＤＣＩにより送信した第３指示情報を受信してもよく、勿論、ネットワークデバイスが他の方式で端末デバイスに第３指示情報を送信し、端末デバイスがネットワークデバイスが他の方式で送信した第３指示情報を受信してもよく、本発明の実施例はこれに限定しない。
【００５９】
第５方式として、前記端末デバイスが、前記第１信号以外の第２信号を検定し、前記第２信号の伝送に使用する基本パラメータセットを前記第１信号の伝送に使用する第１基本パラメータセットとして確定する。即ち、端末デバイスは、自分の伝送する信号の以外の他の信号が使用する基本パラメータセットを検定し、他の信号の基本パラメータセットを自分の第１基本パラメータセットとしてもよい。
【００６０】
１つの選択可能な実施例として、端末デバイスが対応関係に基づいて前記少なくとも１つのリソースプールから確定した前記第１信号を伝送するリソースプールは、１つ以上である可能性がある。端末デバイスが１つのリソースプールを確定した場合、当該リソースプールの伝送リソースにおいて前記第１信号を伝送する。前記端末デバイスが前記第１信号の伝送に使用する前記第１基本パラメータセット及び前記対応関係に基づいて、前記少なくとも１つのリソースプールから前記第１信号を伝送するリソースプールを確定することは、前記対応関係に示す前記第１基本パラメータセットに対応するリソースプールが複数である場合、前記端末デバイスが複数のリソースプールから前記第１信号を伝送するリソースプールを確定することを含む。端末が複数のリソースプールを確定した場合、以下の４つの方式で前記第１信号を伝送するリソースプールを確定する。
【００６１】
第１方式として、前記端末デバイス前記複数のリソースプールから１つのリソースプールをランダムに選択して、前記第１信号を伝送るリソースプールとし、Ｍが２以上、Ｎ以下の整数である。
【００６２】
第２方式として、前記端末デバイスは、前記端末デバイスの無線ネットワークテンポラリアイデンティティ又は前記端末デバイスのセル識別子に基づいて、リソースプールインデックスを確定し、前記リソースプールインデックスに基づいて前記複数のリソースプールから前記第１信号を伝送するリソースプールを確定する。
【００６３】
第３方式として、前記端末デバイスが前記複数のリソースプールに対して負荷測定を行った後、負荷が一番低い又は第１閾値より低いリソースプールを選択して、前記第１信号を伝送するリソースプールとし、例えば、端末デバイスは、複数のリソースプールに受信した信号電力の大きさを測定し、信号平均受信電力の一番低い伝送リソースプールを選択し、さらに、信号平均受信電力の一番低い伝送リソースプールが複数である場合、信号平均受信電力の一番低い伝送リソースプールから１つのリソースプールを任意選択し、勿論、条件を設定し、複数のリソースプールからリソースプールを再選択してもよい。信号平均受信電力が第１閾値より小さいリソースプールから１つのリソースプールを選択してもよく、本発明の実施例はこれに限定しない。
【００６４】
第４方式、前記端末デバイスが複数のリソースプールから前記第１信号を伝送するリソースプールを確定する前に、前記方法１００は、さらに、前記端末デバイスがネットワークデバイスにより送信された第２指示情報を受信することを含み、前記第２指示情報は、前記端末デバイスが前記第１信号の伝送に使用するリソースプールインデックスを示すために用いられ、ここで、前記端末デバイスが前記複数のリソースプールからリソースプールを確定することは、前記端末デバイスが前記第２指示情報が示すリソースプールインデックスに基づいて、前記複数のリソースプールから前記第１信号を伝送するリソースプールを確定することを含む。
【００６５】
具体的に、Ｓ１２０において、端末デバイスが前記第１信号を伝送するリソースプール内の伝送リソースを使用して前記第１信号を伝送し、リソースプールに含まれる少なくとも１つの伝送リソースから前記第１信号を伝送するための伝送リソースを選択してから、前記第１信号を伝送してもよい。リソースプールに１つの伝送リソースが含まれる場合、端末デバイスが当該伝送リソースにおいて前記第１信号を伝送すればよく、リソースプールには複数の伝送リソースが含まれる場合、複数の伝送リソースから前記第１信号を伝送するためのリソースを選択する必要があり、具体的に、以下の４つの方式で、リソースプールに含まれる少なくとも１つの伝送リソースから前記第１信号を伝送するための伝送リソースを確定する。
【００６６】
第１方式として、前記端末デバイスが、前記第１信号を伝送するリソースプールに含まれる少なくとも１つの伝送リソースから伝送リソースをランダムに選択して、前記第１信号を伝送する。
【００６７】
第２方式として、前記端末デバイスは、端末デバイスの無線ネットワークテンポラリアイデンティティ又は前記端末デバイスのセル識別子に基づいて伝送リソースインデックスを確定し、伝送リソースインデックスに基づいて、前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送する。
【００６８】
第３方式として、端末デバイスは、予め構成された伝送リソースインデックスを保留しており、前記端末デバイスは、予め構成された伝送リソースインデックスに基づいて、前記第１信号を伝送するリソースプールに含まれる少なくとも１つの伝送リソースから前記第１信号を伝送するための伝送リソースを確定し、前記第１信号を伝送するためのリソースにおいて前記第１信号を伝送する。
【００６９】
第４方式として、前記端末デバイスが、前記第１信号を伝送するリソースプールに含まれる少なくとも１つの伝送リソースに負荷測定を行い、負荷が一番低い又は第２閾値より低い伝送リソースを選択し、前記負荷が一番低い又は第２閾値より低い伝送リソースにおいて前記第１信号を伝送し、例えば、端末デバイスは、リソースプールに含まれる少なくとも１つの伝送リソースの各伝送リソースの信号受信電力を測定し、信号平均受信電力の一番低い伝送リソースを前記第１信号を伝送するためのリソースとして選定し、さらに、信号平均受信電力の一番低い伝送リソースが複数である場合、複数の伝送リソースから１つの伝送リソースを任意に選択し、前記第１信号を伝送するための伝送リソースとしてもよい。勿論、信号平均受信電力が閾値より低い伝送リソース内の任意の伝送リソースを第１信号を伝送するための伝送リソースとしてもよい。
【００７０】
そして、本発明の実施例における信号伝送方法によって、端末デバイスは、リソースプールと基本パラメータセットとの対応関係に基づいて端末デバイスの第１基本パラメータセットに対するリソースプールを確定し、リソースプール内の伝送リソースを使用して前記第１信号を伝送し、従来技術において端末デバイスに特定のリソースプールを割り当てることを回避し、本発明の実施例における端末デバイスは、信号に基づいてリソースプールを選択することができ、例えば、伝送信号の周波数帯、信号のサービスタイプに基づいて信号を伝送するための第１基本パラメータセットを選択し、さらに、その対応関係に基づいて前記第１信号を伝送するリソースプールを確定し、端末デバイスがリソースプールに対する要求を満たしているとともに、端末デバイスのリソースプールの選択の柔軟性を向上させることができる。
【００７１】
理解しやすくなるために、以下、２つの例を挙げるが、これは本発明の実施例を限定しなく、例１として、端末デバイスが（ＲＲＣ：Ｒａｄｉｏ  Ｒｅｓｏｕｒｃｅ  Ｃｏｎｔｒｏｌ）シグナリングにより対応関係を取得し、基本パラメータセットがサブキャリア間隔であり、具体的に、以下のステップ１〜４を含む。
【００７２】
ステップ１において、ネットワークデバイスが端末デバイスにＲＲＣシグナリングを送信し、ＲＲＣシグナリングに第１指示情報が含まれ、例えば、当該第１指示情報は、相違するＮ個のサブキャリア間隔に対応するＮ個のリソースプールを示す。具体的に、第１指示情報は、Ｎ個のリソースプールの各リソースプールの周波数領域の開始位置と終了位置、各リソースプールに含まれるサブフレーム、各リソースプールに含まれる少なくとも１つの時間周波数リソースを含んでもよく、各サブキャリアが１つのリソースプールに対応し、勿論、各サブキャリアが複数のリソースプールに対応してもよく、便宜上、ここで各サブキャリアが１つのリソースプールに対応すると仮定する。
【００７３】
ステップ２において、端末デバイスがＲＲＣシグナリングによりネットワークデバイスからの第１指示情報を受信した後、現在伝送するデータのサービスタイプに基づいて、競合に基づくランダムアクセス信号の送信に使用するサブキャリア間隔を確定する。
【００７４】
ステップ３において、端末デバイスは、サブキャリア間隔及び第１指示情報に基づいて、Ｎ個のリソースプールから、現在伝送するデータを伝送するためのターゲットリソースプールを確定する。
【００７５】
ステップ４において、端末デバイスは、ターゲットリソースプールに含まれる少なくとも１つの物理的な時間周波数リソーから１つの物理的な時間周波数リソースを任意に選択してランダムアクセス信号の伝送を行う。
【００７６】
例２として、端末デバイスは、ブロードキャストシグナリングにより対応関係を取得し、基本パラメータセットがサイクリックプレフィックスタイプであり、具体的に、以下のステップ１〜５を含む。
【００７７】
ステップ１において、ネットワークデバイスが端末デバイスにブロードキャストシグナリングを送信し、ブロードキャストシグナリングに第１指示情報が含まれ、当該第１指示情報は、Ｎ個のリソースプールと前記Ｎ個のリソースプールに対応するサイクリックプレフィックスタイプを示す。具体的に、当該第１指示情報は、周波数領域リソースの開始位置と終了位置、各リソースプールに含まれるサブフレーム、各リソースプールに含まれる少なくとも１つの伝送リソースを示してもよく、各伝送リソースは、時間周波数リソース及びシーケンスリソースを含み、各リソースプールは、シーケンスリソースを含む。
【００７８】
ステップ２において、端末デバイスがネットワークデバイスからブロードキャストしたブロードキャストシグナリングを受信した後、ブロードキャストシグナリングから第１指示情報を取得し、端末デバイスがデータ信号の送信に使用するサイクリックプレフィックスタイプを確定する。
【００７９】
ステップ３において、端末デバイスがＮ個のリソースプールから、データ信号を送信するためのサイクリックプレフィックスタイプに対応する２つのリソースプールを確定する。
【００８０】
ステップ４において、端末デバイスは、受信されたＲＲＣシグナリングに基づいてリソースプールインデックスを確定し、リソースプールインデックスに基づいて２つのリソースプールからターゲットリソースプールを確定する。
【００８１】
ステップ５において、端末デバイスは、ＲＮＴＩに基づいて伝送リソースのインデックスを算出し、伝送リソースのインデックスに基づいてターゲットリソースプールに含まれる少なくとも１つの伝送リソースから前記データ信号を伝送するためのリソースを確定し、端末デバイスが伝送リソースに含まれる時間周波数リソースとシーケンスリソースにおいてデータ信号を伝送する。
【００８２】
以上、図１を参照し本発明の実施例における信号伝送方法を説明し、以下、図２及び図３を参照し本発明の実施例における信号伝送装置を説明する。
【００８３】
図２は本発明の実施例における信号伝送装置２００の模式図を示し、当該装置は、例えば方法１００における端末デバイスであってもよく、当該装置２００は、確定モジュール２１０及び伝送モジュール２２０を含む。
【００８４】
確定モジュール２１０は、第１信号の伝送に使用する第１基本パラメータセットに基づいて、前記第１信号を伝送するリソースプールを確定するように構成される。
【００８５】
伝送モジュール２２０は、前記第１信号を伝送するリソースプール内の伝送リソースを使用して、前記第１信号を伝送するように構成される。
【００８６】
１つの選択可能な実施例として、前記装置２００は、さらに、取得モジュールを含み、前記取得モジュールは、前記第１信号の伝送に使用する第１基本パラメータセットに基づいて前記第１信号を伝送するリソースプールを確定する前に、少なくとも１つのリソースプールと少なくとも１つの基本パラメータセットとの対応関係を取得するように構成され、前記対応関係は、前記少なくとも１つの基本パラメータセット内の各基本パラメータセットが１つ以上のリソースプールに対応することを示すために用いられ、前記少なくとも１つの基本パラメータセットは、前記第１基本パラメータセットを含み、前記確定モジュール２１０は、具体的に、前記第１信号の伝送に使用する前記第１基本パラメータセット及び前記対応関係に基づいて、前記少なくとも１つのリソースプールから前記第１信号を伝送する前記リソースプールを確定するように構成される。
【００８７】
１つの選択可能な実施例として、前記取得モジュールは、具体的に、ネットワークデバイスにより送信された第１指示情報を受信し、第１指示情報に基づいて前記少なくとも１つのリソースプールと前記少なくとも１つの基本パラメータセットとの前記対応関係を取得するように構成され、前記第１指示情報は、前記対応関係を示すために用いられる。
【００８８】
１つの選択可能な実施例として、前記確定モジュール２１０は、具体的に、前記対応関係に示す前記第１基本パラメータセットに対応するリソースプールが複数である場合、複数のリソースプールから前記第１信号を伝送するリソースプールを確定するように構成される。
【００８９】
１つの選択可能な実施例として、前記確定モジュール２１０は、具体的に、前記複数のリソースプールから１つのリソースプールをランダムに選択して、前記第１信号を伝送するリソースプールとすること、又は、
前記装置の伝送パラメータに基づいてリソースプールインデックスを確定し、前記リソースプールインデックスに基づいて前記複数のリソースプールから前記第１信号を伝送するリソースプールを確定し、又は、
前記複数のリソースプールに対して負荷測定を行った後、負荷が一番低い又は第１閾値より低いリソースプールを選択して、前記第１信号を伝送するリソースプールとするように構成される。
【００９０】
１つの選択可能な実施例として、前記装置２００は、さらに、受信モジュールを含み、前記受信モジュールは、前記複数のリソースプールから前記第１信号を伝送するリソースプールを確定する前に、ネットワークデバイスにより送信された第２指示情報を受信するように構成され、前記第２指示情報は、前記装置前記第１信号の伝送に使用するリソースプールインデックスを示すために用いられ、前記確定モジュール２１０は、具体的に、前記第２指示情報が示すリソースプールインデックスに基づいて、前記複数のリソースプールから前記第１信号を伝送するリソースプールを確定するように構成される。
【００９１】
１つの選択可能な実施例として、前記確定モジュール２２０は、具体的に、前記第１信号の伝送に使用する第１基本パラメータセットに基づいて前記第１信号を伝送するリソースプールを確定する前に、前記第１信号の伝送に使用するための前記第１基本パラメータセットを確定するように構成される。
【００９２】
１つの選択可能な実施例として、前記確定モジュール２１０は、具体的に、前記第１信号のサビースタイプ、周波数帯及びパスロスパラメータのうちの少なくとも１つに基づいて、前記第１信号の伝送に使用するための前記第１基本パラメータセットを確定するように構成される。
【００９３】
１つの選択可能な実施例として、前記確定モジュール２１０は、具体的に、ネットワークデバイスにより送信された第３指示情報を受信するように構成され、前記第３指示情報は、前記第１信号の伝送に使用する前記第１基本パラメータセットを示すために用いられ、前記第３指示情報に基づいて前記第１信号の伝送に使用する前記第１基本パラメータセットを確定するように構成される。
【００９４】
１つの選択可能な実施例として、前記確定モジュール２１０は、具体的に、前記第１信号の以外の第２信号を検定し、前記第２信号の伝送に使用する基本パラメータセットを前記第１信号の伝送に使用する第１基本パラメータセットとして確定するように構成される。
【００９５】
１つの選択可能な実施例として、前記伝送モジュール２２０は、具体的に、
前記第１信号を伝送するリソースプールに含まれる少なくとも１つの伝送リソースから、伝送リソースをランダムに選択して前記第１信号を伝送し、又は、
前記装置の伝送パラメータに基づいて伝送リソースインデックスを確定し、伝送リソースインデックスに基づいて前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送し、又は、
予め設定された伝送リソースインデックスに基づいて、前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送し、又は、
前記第１信号を伝送するリソースプールに含まれる少なくとも１つの伝送リソースに負荷測定を行い、負荷が一番低い又は第２閾値より低い伝送リソースを選択し、前記負荷が一番低い又は第２閾値より低い伝送リソースにおいて前記第１信号を伝送するように構成される。
【００９６】
１つの選択可能な実施例として、前記リソースプールは、少なくとも１つの伝送リソースを含み、前記少なくとも１つの伝送リソースの各伝送リソースは、物理的な時間周波数リソース及び/又はシーケンスリソースを含む。
【００９７】
１つの選択可能な実施例として、前記基本パラメータセットは、サブキャリア間隔、システム帯域幅に含まれるサブキャリアの数、ＰＲＢに含まれるサブキャリアの数、直交周波数分割多重ＯＦＤＭのシンボルの長さ、ＯＦＤＭ信号の生成に使用する高速フーリエ変換ＦＦＴ又は高速フーリエ逆変換ＩＦＦＴの点数、ＴＴＩに含まれるＯＦＤＭシンボルの数、第１時間帯に含まれるＴＴＩの数、及び前記第１信号のＣＰタイプ信号と信号ＣＰの時間長さのうちの少なくとも1つを含む。
【００９８】
１つの選択可能な実施例として、前記第１信号は、ランダムアクセス信号、データ信号又はアップリンク制御信号である。
【００９９】
なお、ここの装置２００が機能モジュールにより体現される。ここの単語「モジュール」は、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、１つ以上のソフトウェア又はファームウェアプログラムを実行するプロセッサー（例えば共有プロセッサー、専有プロセッサー又はプロセッサーセット等）、メモリ、結合論理回路及び／又は上記の機能をサポートする他の部品を指す。１つの選択可能な例において、当業者は、装置２００が上記の実施例における端末デバイスであり、上記の方法１００の実施例における端末デバイスに対応する各プロセス及び／又はステップを実行することができると理解され、重複の説明を回避するために、ここで説明を省略する。
【０１００】
図３は本発明の実施例における信号伝送装置３００を示す。例えば、当該装置３００が方法１００における端末デバイスであってもよく、当該装置３００は、送受信機３１０、プロセッサー３２０、メモリ３３０及びバスシステム３４０を含む。ここで、送受信機３１０とプロセッサー３２０とメモリ３３０とはバスシステム３４０により接続され、当該メモリ３３０が命令を記憶し、当該プロセッサー３２０が当該メモリ３３０に記憶された命令を実行して、当該送受信機３１０が信号を送受信する。
【０１０１】
ここで、プロセッサー３２０は、第１信号の伝送に使用する第１基本パラメータセットに基づいて、前記第１信号を伝送するリソースプールを確定するように構成され、送受信機３１０が前記第１信号を伝送するリソースプール内の伝送リソースを使用して、前記第１信号を伝送するように構成される。
【０１０２】
１つの選択可能な実施例として、前記送受信機３１０は、さらに、前記第１信号の伝送に使用する第１基本パラメータセットに基づいて前記第１信号を伝送するリソースプールを確定する前に、少なくとも１つのリソースプールと少なくとも１つの基本パラメータセットとの対応関係を取得するように構成され、前記対応関係は、前記少なくとも１つの基本パラメータセット内の各基本パラメータセットが１つ以上のリソースプールに対応することを示すために用いられ、前記少なくとも１つの基本パラメータセットは、前記第１基本パラメータセットを含み、前記プロセッサー３２０は、具体的に、前記第１信号の伝送に使用する前記第１基本パラメータセット及び前記対応関係に基づいて、前記少なくとも１つのリソースプールから前記第１信号を伝送する前記リソースプールを確定するように構成される。
【０１０３】
１つの選択可能な実施例として、前記送受信機３１０は、さらに、ネットワークデバイスにより送信された第１指示情報を受信し、第１指示情報に基づいて前記少なくとも１つのリソースプールと前記少なくとも１つの基本パラメータセットとの前記対応関係を取得するように構成され、前記第１指示情報は、前記対応関係を示すために用いられる。
【０１０４】
１つの選択可能な実施例として、前記プロセッサー３２０は、具体的に、前記対応関係に示す前記第１基本パラメータセットに対応するリソースプールが複数である場合、複数のリソースプールから前記第１信号を伝送するリソースプールを確定するように構成される。
【０１０５】
１つの選択可能な実施例として、前記プロセッサー３２０は、具体的に、前記複数のリソースプールから１つのリソースプールをランダムに選択して、前記第１信号を伝送るリソースプールとし、又は、
前記装置の伝送パラメータに基づいてリソースプールインデックスを確定し、前記リソースプールインデックスに基づいて前記複数のリソースプールから前記第１信号を伝送するリソースプールを確定し、又は、
前記複数のリソースプールに対して負荷測定を行った後、負荷が一番低い又は第１閾値より低いリソースプールを選択して、前記第１信号を伝送するリソースプールとするように構成される。
【０１０６】
１つの選択可能な実施例として、前記送受信機３１０は、さらに、前記複数のリソースプールから前記第１信号を伝送するリソースプールを確定する前に、ネットワークデバイスにより送信された第２指示情報を受信するように構成され、前記第２指示情報は、前記装置前記第１信号の伝送に使用するリソースプールインデックスを示すために用いられ、前記プロセッサー３２０は、具体的に、前記第２指示情報が示すリソースプールインデックスに基づいて、前記複数のリソースプールから前記第１信号を伝送するリソースプールを確定するように構成される。
【０１０７】
１つの選択可能な実施例として、前記プロセッサー３２０は、具体的に、前記第１信号の伝送に使用する第１基本パラメータセットに基づいて前記第１信号を伝送するリソースプールを確定する前に、前記第１信号の伝送に使用するための前記第１基本パラメータセットを確定するように構成される。
【０１０８】
１つの選択可能な実施例として、前記プロセッサー３２０は、具体的に、前記第１信号のサビースタイプ、周波数帯及びパスロスパラメータのうちの少なくとも１つに基づいて、前記第１信号の伝送に使用するための前記第１基本パラメータセットを確定するように構成される。
【０１０９】
１つの選択可能な実施例として、前記プロセッサー３２０は、具体的に、ネットワークデバイスにより送信された第３指示情報を受信し、前記第３指示情報に基づいて前記第１信号の伝送に使用する前記第１基本パラメータセットを確定するように構成され、前記第３指示情報は、前記第１信号の伝送に使用する前記第１基本パラメータセットを示すために用いられる。
【０１１０】
１つの選択可能な実施例として、前記プロセッサー３２０は、具体的に、前記第１信号の以外の第２信号を検定し、前記第２信号の伝送に使用する基本パラメータセットを前記第１信号の伝送に使用する第１基本パラメータセットとして確定するように構成される。
【０１１１】
１つの選択可能な実施例として、前記送受信機３１０は、具体的に、
前記第１信号を伝送するリソースプールに含まれる少なくとも１つの伝送リソースから、伝送リソースをランダムに選択して前記第１信号を伝送し、又は、
前記装置の伝送パラメータに基づいて伝送リソースインデックスを確定し、伝送リソースインデックスに基づいて前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送し、又は、
予め設定された伝送リソースインデックスに基づいて、前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送し、又は、
前記第１信号を伝送するリソースプールに含まれる少なくとも１つの伝送リソースに負荷測定を行い、負荷が一番低い又は第２閾値より低い伝送リソースを選択し、前記負荷が一番低い又は第２閾値より低い伝送リソースにおいて前記第１信号を伝送するように構成される。
【０１１２】
１つの選択可能な実施例として、前記リソースプールは、少なくとも１つの伝送リソースを含み、前記少なくとも１つの伝送リソースの各伝送リソースは、物理的な時間周波数リソース及び/又はシーケンスリソースを含む。
【０１１３】
１つの選択可能な実施例として、前記基本パラメータセットは、サブキャリア間隔、システム帯域幅に含まれるサブキャリアの数、ＰＲＢに含まれるサブキャリアの数、直交周波数分割多重ＯＦＤＭのシンボルの長さ、ＯＦＤＭ信号の生成に使用する高速フーリエ変換ＦＦＴ又は高速フーリエ逆変換ＩＦＦＴの点数、ＴＴＩに含まれるＯＦＤＭシンボルの数、第１時間帯に含まれるＴＴＩの数、及び前記第１信号のＣＰタイプ信号と信号ＣＰの時間長さのうちの少なくとも1つを含む。
【０１１４】
なお、装置３００が上記の実施例における端末デバイスであってもよく、上記の方法の実施例において端末デバイスに対応する各ステップ及び／又はプロセスを実行することができる。選択可能で、当該メモリ３４０が読み取り専用メモリ及びランダムアクセスメモリを含み、プロセッサーに命令及びデータを提供する。メモリが不揮発性ランダムアクセスメモリを含む。例えば、メモリは、デイバスタイプの情報を記憶する。当該プロセッサー３２０がメモリに記憶した命令を実行し、当該プロセッサーが当該命令を実行する場合、当該プロセッサーが上記の方法１００実施例における端末デバイスに対応する各ステップを実行する。
【０１１５】
なお、本発明の実施例において、プロセッサー３２０が中央処理ユニット（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであっても良い。汎用プロセッサは、マイクロプロセッサー、いかなる通常のプロセッサー等であってもよい。
【０１１６】
なお、本明細書に記載される「及び／又は」、関連対象の関連関係を説明するものだけであり、以下の３つの関係を示す。例えば、Ａ及び／又はＢは、Ａが単独存在すること、ＡとＢが同時に存在すること、及びＢが単独存在することそれぞれ示す。また、本明細書に記載される「／」は、通常に、前後の関連対象の「又は」の関係を示す。
【０１１７】
なお、本発明の各実施例において、上記各過程の番号が実行順番の前後を意味しなく、各過程の実行順番は、その機能及び組み込み論理に決定され、本発明の実施例の実行過程を限定しない。
【０１１８】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１１９】
当業者は、上記のシステム、装置及びユニットの具体的な動作過程が、上記の方法の実施例に対する過程を参照されると理解され、ここで説明を省略する。
【０１２０】
本発明に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１２１】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１２２】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１２３】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１２４】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2020500440.tif 000003
【図２】
2020500440.tif 000004
【図３】
2020500440.tif 000005
【手続補正書】
【提出日】令和1年9月19日(2019.9.19)
【手続補正１】
【補正対象書類名】明細書
【補正対象項目名】全文
【補正方法】変更
【補正の内容】
【発明の詳細な説明】
【技術分野】
【０００１】
本発明は通信分野に関し、特に、通信分野における信号伝送方法及び装置に関する。
【背景技術】
【０００２】
未来の通信システムにおいて、競合に基づくアップリンクアクセス方式を導入して端末デバイスに特定のリソースプールに割り当てる。端末デバイスは、ネットワークデバイスによるスケジューリングが存在しない場合に、競合の方式でリソースプール内のリソースを競合してランダムアクセスを行い、又は競合の方式でリソースプール内のリソースを競合して伝送データを行う。端末デバイスに特定のリソースプールに割り当てるが、端末デバイスが当該特定のリソースプールを要しなく、他のリソースプールを要する可能性があるため、リソースプールをどのように選択するのは、解決しようとする課題となっている。例えば、端末デバイスが異なるサービスタイプをサポートし、異なるサービスタイプに対して異なるリソースプール内のリソースを使用してデータを伝送する必要があり、端末デバイスに特定のリソースプールに割り当てる場合、端末デバイスの異なるサービスの伝送要求を満たしているのは難しい。
【０００３】
なお、上記の背景技術に開示される情報は、本開示の背景の理解を容易にするためのものであるため、当業者に開示しない従来技術を構成しない情報が含まれることができる。
【発明の概要】
【０００４】
本発明の実施例は、リソースプール選択の柔軟性を向上させることができる信号伝送方法及び装置を提供する。
【０００５】
第１形態は、信号伝送方法を提供し、当該方法は、端末デバイスが第１信号の伝送に使用する第１基本パラメータセットに基づいて、前記第１信号を伝送するリソースプールを確定することと、前記端末デバイスが前記第１信号を伝送するリソースプール内の伝送リソースを使用して前記第１信号を伝送することとを含む。
【０００６】
そして、端末デバイスは、第１基本パラメータセットに基づいて対応するリソースプールを取得してから、リソースプール内の伝送リソースを使用して前記第１信号を伝送することができ、このように、端末デバイスは、基本パラメータセットに基づいて対応するリソースプールを確定し、従来技術において端末デバイスに特定のリソースプールを割り当てることを回避し、端末デバイスは、前記第１基本パラメータセットに基づいて前記第１信号に対応するリソースプールを確定することができ、リソースプールの選択の柔軟性を向上させることができる。
【０００７】
さらに、異なるサービス要求に対して異なるリソースプールを選択することができ、例えば、当該第１信号が第１サービスタイプである時に第１リソースプールを選択し、当該第１信号が第２サービスタイプである特に第２リソースプールを選択し、このように、異なるサービスの要求を満たしていることができる。
【０００８】
第１形態の第１実現可能な形態において、前記第１基本パラメータセット及び／又は前記少なくとも１つの基本パラメータセット内の各基本パラメータセットは、サブキャリア間隔、システム帯域幅に含まれるサブキャリアの数、物理リソースブロック（ＰＲＢ：Ｐｈｙｓｉｃａｌ  Ｒｅｓｏｕｒｃｅ  Ｂｌｏｃｋ）に含まれるサブキャリアの数、直交周波数分割多重ＯＦＤＭのシンボルの長さ、ＯＦＤＭ信号の生成に使用する高速フーリエ変換(ＦＦＴ：Ｆａｓｔ  Ｆｏｕｒｉｅｒ  Ｔｒａｎｓｆｏｒｍａｔｉｏｎ)又は高速フーリエ逆変換(ＩＦＦＴ：Ｉｎｖｅｒｓｅ  Ｆｏｕｒｉｅｒ  Ｔｒａｎｓｆｏｒｍａｔｉｏｎ)の点数、伝送時間間隔（ＴＴＩ：Ｔｒａｎｓｍｉｓｓｉｏｎ  ＴｉｍｅＩｎ  ｔｅｒｖａｌ）に含まれるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの数、第１時間帯に含まれるＴＴＩ数及び前記第１信号のサイクリックプレフィックス（ＣＰ：Ｃｙｃｌｉｃ  Ｐｒｅｆｉｘ）タイプ信号及び信号ＣＰの時間長さのうちの少なくとも１つを含む。サブキャリア間隔は、隣接するサブキャリアの周波数の間隔、例えば１５ｋＨｚ、６０ｋＨｚ等を指し、特定システム帯域幅下のサブキャリアの数は、例えば、可能なシステム帯域幅に対応するサブキャリアの数であり、ＰＲＢに含まれるサブキャリアの数は、例えば６又は１６の整数倍であり、ＴＴＩ中に含まれるＯＦＤＭシンボルの数は、例えば２、４、７の整数倍であってもよいし、１４の整数倍であってもよく、第１時間帯に含まれるＴＴＩ数は、１ｍｓ又は１０ｍｓの時間長さに含まれるＴＴＩの数を指し、第１信号ＣＰタイプは、サイクリックプレフィックスに通常ＣＰ又は拡張ＣＰを使用するかを示し、信号ＣＰの時間長さは、第１信号のＣＰの時間長さである。
【０００９】
選択可能で、基本パラメータセットは、さらに、将来のネットワークシステムに新たに定義されたリソース分割の基本パラメータを含み、例えば、基本周波数領域ユニット、基本周波数領域ユニットパターン、サブキャリアパターン、参照シンボルの時間領域ユニットに占用する位置、単位周期内のＴＴＩパターン、フレーム内のサブフレームのパターン、サブフレーム内のタイムスロットのパターン、タイムスロットにおけるＯＦＤＭパターン等であってもよい。
【００１０】
第１形態の上記の実現可能な形態を結合し、第１形態の第２実現可能な形態において、前記端末デバイスが第１信号の伝送に使用する第１基本パラメータセットに基づいて、前記第１信号を伝送するリソースプールを確定する前に、前記方法は、さらに、
前記端末デバイスが少なくとも１つのリソースプールと少なくとも１つの基本パラメータセットとの対応関係を取得することを含み、前記対応関係は、前記少なくとも１つの基本パラメータセット内の各基本パラメータセットが１つ以上のリソースプールに対応することを示すために用いられ、前記少なくとも１つの基本パラメータセットは、前記第１基本パラメータセットを含み、ここで、前記端末デバイスが第１信号の伝送に使用する第１基本パラメータセットに基づいて、前記第１信号を伝送するリソースプールを確定することは、前記端末デバイスが前記第１信号の伝送に使用する前記第１基本パラメータセット及び前記対応関係に基づいて、前記少なくとも１つのリソースプールから前記第１信号を伝送する前記リソースプールを確定することを含む。
【００１１】
選択可能で、少なくとも１つのリソースプールと少なくとも１つの基本パラメータセットとの対応関係について、少なくとも１つのリソースプール内の１つのリソースプールが１つの基本パラメータセットに対応してもよいし、１つの基本パラメータセットが１つ以上のリソースプールに対応してもよく、即ち、異なるリソースプールは同じ基本パラメータセットに対応してもよい。
【００１２】
第１形態の上記の実現可能な形態を結合し、第１形態の第３実現可能な形態において、前記端末デバイスが少なくとも１つのリソースプールと少なくとも１つの基本パラメータセットとの対応関係を取得することは、前記端末デバイスがネットワークデバイスにより送信された第１指示情報を受信することと、前記端末デバイス第１指示情報に基づいて前記少なくとも１つのリソースプールと前記少なくとも１つの基本パラメータセットとの前記対応関係を取得することとを含み、前記第１指示情報は、前記対応関係を示すために用いられる。
【００１３】
選択可能で、端末デバイスは、ネットワークデバイスがユーザー専用シグナリングにより送信した第１指示情報を受信してもよいし、ネットワークデバイスがブロードキャストシグナリングにより送信した第１指示情報を受信してもよいし、ネットワークデバイスがダウンリンク制御情報（ＤＣＩ：Ｄｏｗｎｌｉｎｋ  Ｃｏｎｔｒｏｌ  Ｉｎｆｏｒｍａｔｉｏｎ）により送信した第１指示情報を受信してもよいし、ネットワークデバイスが他の方式により送信した第１指示情報を受信してもよい。
【００１４】
第１形態の上記の実現可能な形態を結合し、第１形態の第４実現方式において、前記端末デバイスが前記第１信号の伝送に使用する前記第１基本パラメータセット及び前記対応関係に基づいて、前記少なくとも１つのリソースプールから前記第１信号を伝送するリソースプールを確定することは、前記対応関係に示す前記第１基本パラメータセットに対応するリソースプールが複数である場合、前記端末デバイスが複数のリソースプールから前記第１信号を伝送するリソースプールを確定することを含む。
【００１５】
第１形態の上記の実現可能な形態を結合し、第１形態の第５実現方式において、前記端末デバイスが複数のリソースプールからリソースプールを確定することは、
前記複数のリソースプールから１つのリソースプールをランダムに選択して、前記第１信号を伝送するリソースプールとすること、又は、
前記端末デバイスが前記端末デバイスの伝送パラメータに基づいてリソースプールインデックスを確定し、前記リソースプールインデックスに基づいて前記複数のリソースプールから前記第１信号を伝送するリソースプールを確定すること、又は、
前記端末デバイスが前記複数のリソースプールの負荷に基づいて選択を行い、選択可能で、前記端末デバイスが前記複数のリソースプールに対して負荷測定を行った後、負荷が一番低い又は第１閾値より低いリソースプールを選択して、前記第１信号を伝送するリソースプールとすることを含む。
【００１６】
具体的に、端末デバイスが少なくとも１つのリソースプールから１つのリソースプールを確定した場合、当該リソースプール内のリソースを使用して前記第１信号を伝送し、端末デバイスが少なくとも１つのリソースプールから複数のリソースプールを確定した場合、以下の３つの方式で当該複数のリソースプールからリソースプールを確定する。第１方式として、複数のリソースプールからリソースプールとして１つのリソースプールをランダムに選択する。第２方式として、端末デバイスは、伝送パラメータに基づいてリソースプールインデックスを計算し、例えば、無線ネットワークテンポラリアイデンティティ(ＲＮＴＩ：Ｒａｄｉｏ  Ｎｅｔｗｏｒｋ  Ｔｅｍｐｏｒｙ  Ｉｄｅｎｔｉｔｙ)又は端末デバイスのアクセスセルの識別子に基づいてリソースプールのインデックスを計算し、リソースプールインデックスに基づいて複数のリソースプールからリソースプールを確定する。第３方式として、端末デバイスは、複数のリソースプールに対して負荷測定を行い、複数のリソースプールから負荷が一番低いリソースプールを選択してリソースプールとし、例えば、複数のリソースプールに受信された信号の電力の大きさを検定し、信号の平均受信電力が一番小さいリソースプールを選択してリソースプールとし、信号の平均受信電力が一番小さいリソースプールが複数である場合、これらのリソースプールから１つのリソースプールを任意に選択してリソースプールとする。
【００１７】
第１形態の上記の実現可能な形態を結合し、第１形態の第６実現方式において、前記端末デバイスが複数のリソースプールから前記第１信号を伝送するリソースプールを確定する前に、前記方法は、さらに、前記端末デバイスがネットワークデバイスにより送信された第２指示情報を受信することを含み、前記第２指示情報は、前記端末デバイスが前記第１信号の伝送に使用するリソースプールインデックスを示すために用いられ、ここで、前記端末デバイスが前記複数のリソースプールからリソースプールを確定することは、前記端末デバイスが前記第２指示情報が示すリソースプールインデックスに基づいて、前記複数のリソースプールから前記第１信号を伝送するリソースプールを確定することを含む。
【００１８】
第１形態の上記の実現可能な形態を結合し、第１形態の第７実現方式において、前記端末デバイスが第１信号の伝送に使用する第１基本パラメータセットに基づいて、前記第１信号を伝送するリソースプールを確定する前に、前記方法は、さらに、前記端末デバイスが前記第１信号の伝送に使用する前記第１基本パラメータセットを確定することを含む。
【００１９】
第１形態の上記の実現可能な形態を結合し、第１形態の第８実現方式において、前記端末デバイスが前記第１信号の伝送に使用する第１基本パラメータセットを確定することは、前記端末デバイスが前記第１信号のサービスタイプに基づいて前記第１信号の伝送に使用する前記第１基本パラメータセットを確定すること、前記端末デバイスが伝送前記第１信号の周波数帯に基づいて前記第１信号の伝送に使用する前記第１基本パラメータセットを確定すること、前記端末デバイスがネットワークデバイスとのパスロスパラメータに基づいて前記第１信号の伝送に使用する前記第１基本パラメータセットを確定することのうちの少なくとも１つを含む。
【００２０】
第１形態の上記の実現可能な形態を結合し、第１形態の第９実現方式において、前記端末デバイスが前記第１信号の伝送に使用する前記第１基本パラメータセットを確定することは、前記端末デバイスがネットワークデバイスにより送信された第３指示情報を受信することと、前記端末デバイスが前記第３指示情報に基づいて前記第１信号の伝送に使用する前記第１基本パラメータセットを確定することとを含み、前記第３指示情報は、前記第１信号の伝送に使用する前記第１基本パラメータセットを示すために用いられる。
【００２１】
具体的に、ネットワークデバイスは、端末デバイスに第３指示情報を送信して、端末デバイスが前記第１信号の伝送に使用する第１基本パラメータセットを指示し、選択可能で、端末デバイスは、ネットワークデバイスがユーザー専用シグナリングにより送信した第３指示情報を受信してもよいし、ネットワークデバイスがブロードキャストシグナリングにより送信した第３指示情報を受信してもよいし、ネットワークデバイスがダウンリンク制御情報（ＤＣＩ：Ｄｏｗｎｌｉｎｋ  Ｃｏｎｔｒｏｌ  Ｉｎｆｏｒｍａｔｉｏｎ）により送信した第３指示情報を受信してもよいし、ネットワークデバイスが他の方式により送信した第３指示情報を受信してもよい。
【００２２】
第１形態の上記の実現可能な形態を結合し、第１形態の第１０実現方式において、前記端末デバイスが前記第１信号の伝送に使用する前記第１基本パラメータセットを確定することは、前記端末デバイスは、前記第１信号の以外の第２信号の基本パラメータセットを検定し、前記第２信号の基本パラメータセットを前記第１信号として確定する。即ち、端末デバイスは、自分の伝送する信号の以外の他の信号に使用する基本パラメータセットを検定し、他の信号の基本パラメータセットを自分の第１基本パラメータセットとしてもよい。
【００２３】
第１形態の上記の実現可能な形態を結合し、第１形態の第１１実現方式において、前記端末デバイスが前記第１信号を伝送するリソースプール内の伝送リソースを使用して前記第１信号を伝送することは、
前記端末デバイスが、前記第１信号を伝送するリソースプールに含まれる少なくとも１つの伝送リソースから伝送リソースをランダムに選択して、前記第１信号を伝送すること、又は、
前記端末デバイスが、前記端末デバイスの伝送パラメータに基づいて伝送リソースインデックスを確定し、伝送リソースインデックスに基づいて前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送すること、又は、
前記端末デバイスが、予め構成された伝送リソースインデックスに基づいて前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送すること、又は、
前記端末デバイスが、前記第１信号を伝送するリソースプールに含まれる少なくとも１つの伝送リソースに負荷測定を行い、負荷が一番低い又は第２閾値より低い伝送リソースを選択し、前記負荷が一番低い又は第２閾値より低い伝送リソースにおいて前記第１信号を伝送することを含む。
【００２４】
具体的に、第１信号を伝送するリソースプールには少なくとも１つの伝送リソースが含まれ、第１信号を伝送するリソースプールからどのように前記第１信号を伝送するための伝送リソースを確定するのは、以下の４つの方式によって確定する。第１方式として、リソースプールに含まれる少なくとも１つの伝送リソースから１つの伝送リソースをランダムに選択して、前記第１信号を伝送する。第２方式として、端末デバイスの伝送パラメータに基づいて伝送リソースインデックスを計算し、例えば、伝送パラメータが端末デバイスの無線ネットワークテンポラリアイデンティティ又は前記端末デバイスのセル識別子であり、伝送リソースインデックスを算出してから、伝送リソースインデックスに基づいてリソースプールに含まれる少なくとも１つの伝送リソースから前記第１信号を伝送するための伝送リソースを確定する。第３方式として、端末デバイスは、予め構成された伝送リソースインデックスを保留しており、予め構成された伝送リソースインデックスに基づいて少なくとも１つの伝送リソースから前記第１信号を伝送するためのリソースを確定する。第４方式として、端末デバイスは、リソースプールに含まれる少なくとも１つの伝送リソースに対し測定を行い、負荷が一番低い伝送リソースを選択して前記信号を伝送するためのリソースとし、例えば、端末デバイスは、リソースプールに含まれる少なくとも１つの伝送リソースの各伝送リソースの信号受信電力を測定し、信号平均受信電力の一番低い伝送リソースを選定して前記第１信号を伝送するためのリソースとし、さらに、信号平均受信電力の一番低い伝送リソースが複数である場合、複数の伝送リソースから１つの伝送リソース伝送前記第１信号を任意に選択してもよい。
【００２５】
第１形態の上記の実現可能な形態を結合し、第１形態の第１２実現方式において、前記リソースプールは、少なくとも１つの伝送リソースを含み、前記リソースプールは、第１信号を伝送するリソースプール及び／又は対応関係に含まれる少なくとも１つのリソースプールであってもよく、前記少なくとも１つの伝送リソース内の各伝送リソースは、物理的な時間周波数リソース及び／又はシーケンスリソースを含み、ここで、シーケンスリソースは、１つのシーケンスセット内のシーケンスであってもよいし、１つのコードブックのコードワードであってもよいし、１つのインターレースパターンであってもよい、さらに、少なくとも１つのリソースプール内の各リソースプール内の伝送リソースが互いに直交し、少なくとも１つのリソースプールの各リソースプールが互いに直交することは、物理的な時間周波数リソースが互いに直交してもよいし、シーケンスリソースが互いに直交してもよいし、物理的な時間周波数リソースが互いに直交し且つシーケンスリソースが互いに直交してもよい。
【００２６】
第１形態の上記の実現可能な形態を結合し、第１形態の第１３実現方式において、前記第１信号は、ランダムアクセス信号、データ信号又はアップリンク制御信号である。
【００２７】
第２形態は、信号伝送方法を提供し、当該方法は、ネットワークデバイスが端末デバイスに第１指示情報を送信することを含み、前記第１指示情報は、前記対応関係を示すために用いられ、前記対応関係は、前記少なくとも１つの基本パラメータセット内の各基本パラメータセットが１つ以上のリソースプールに対応することを示すために用いられる。
【００２８】
第２形態の第１実現可能な形態において、ネットワークデバイスが前記端末デバイスに第２指示情報を送信し、前記第２指示情報は、前記端末デバイスが前記第１信号の伝送に使用するリソースプールインデックスを示すために用いられ、そして、前記端末デバイスが前記第２指示情報が示すリソースプールインデックスに基づいて、前記複数のリソースプールから前記第１信号を伝送するリソースプールを確定する。
【００２９】
第２形態の上記の実現可能な形態を結合し、第２形態の第２実現方式において、前記ネットワークデバイスが前記端末デバイスに第３指示情報を送信し、前記第３指示情報は、前記第１信号の伝送に使用する前記第１基本パラメータセットを示すために用いられ、そして、前記端末デバイスが前記第３指示情報に基づいて前記第１信号の伝送に使用する前記第１基本パラメータセットを確定する。
【００３０】
第３形態は、上記の第１形態又は第１形態のいかなる実現可能な形態の方法を実行するように構成される信号伝送装置を提供する。具体的に、当該当該装置は、上記の第１形態又は第１形態のいかなる実現可能な形態の方法を実行するように構成されるユニットを含む。
【００３１】
第４形態は、上記の第２形態又は第２形態のいかなる実現可能な形態の方法を実行するように構成される信号伝送装置を提供する。具体的に、当該当該装置は、上記の第２形態又は第２形態のいかなる実現可能な形態の方法を実行するように構成されるユニットを含む。
【００３２】
第５形態は、信号伝送装置を提供し、当該信号伝送装置は、受信機、送信機、メモリー、プロセッサ、及びバスシステムを含む。ここで、当該受信機、当該送信機、当該メモリー、当該プロセッサが当該バスシステムにより接続され、当該メモリーが命令を記憶し、当該プロセッサが当該メモリーに記憶された命令を実行し、受信機が信号を受信し、送信機が信号を出力するように制御し、当該命令が実行される場合、当該プロセッサは、第１形態又は第１形態のいかなる実現可能な形態の方法を実行する。
【００３３】
第６形態は、信号伝送装置を提供し、当該信号伝送装置は、受信機、送信機、メモリー、プロセッサ、及びバスシステムを含む。ここで、当該受信機、当該送信機、当該メモリー、当該プロセッサが当該バスシステムにより接続され、当該メモリーが命令を記憶し、当該プロセッサが当該メモリーに記憶された命令を実行し、受信機が信号を受信し、送信機が信号を出力するように制御し、当該命令が実行される場合、当該プロセッサは、第２形態又は第２形態のいかなる実現可能な形態の方法を実行する。
【００３４】
第７形態は、コンピュータ可読記憶媒体を提供し、前記コンピュータ可読記憶媒体にはプログラムが記憶され、前記プログラムには第１形態又は第１形態のいかなる実現可能な形態の方法を実現するための命令が含まれる。
【００３５】
第８形態は、コンピュータ可読記憶媒体を提供し、前記コンピュータ可読記憶媒体にはプログラムが記憶され、前記プログラムには第２形態又は第２形態のいかなる実現可能な形態の方法を実現するための命令が含まれる。
【００３６】
本願の他の特徴や利点は、以下の説明により明らかになり、又は、一部が本願の実施して得られる。
なお、以上の記載や以下の記載は、例示や解釈的なものであるが、本開示を限定するものではない。
【図面の簡単な説明】
【００３７】
本開示の上記および他の特徴およびメリットは、添付の図面を参照して詳細に説明する例示的な実施形態により、より明らかになる。なお、以下の記載における図面はただ本発明の一部の実施例に過ぎず、当業者の場合、創造的な労働を付与しない前提で、これらの図面によって他の図面を得ることができる。
【図１】本発明の実施例における信号伝送方法の模式図である。
【図２】本発明の実施例における信号伝送装置のブロック図である。
【図３】本発明の実施例における他の信号伝送装置のブロック図である。
【発明を実施するための形態】
【００３８】
本発明の実施例の技術的な解決策をより明確に説明するため、以下に実施例又は従来技術の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【００３９】
なお、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワールドワイドインターオペラビリティフォーマイクロウェーブアクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、及び将来の通信システムなどに応用されることができる。
【００４０】
なお、本発明の実施例において、端末デバイスがユーザー装置（ＵＥ：Ｕｓｅｒ Ｅｑｕｉｐｍｅｎｔ）、端末デバイス、移動台（ＭＳ：Ｍｏｂｉｌｅ  Ｓｔａｔｉｏｎ）、移動端末（Ｍｏｂｉｌｅ  Ｔｅｒｍｉｎａｌ）又は未来の５Ｇネットワークにおける端末デバイス等であってもよく、当該端末デバイスは、無線アクセスネットワーク（ＲＡＮ：Ｒａｄｉｏ  Ａｃｃｅｓｓ  Ｎｅｔｗｏｒｋ）を介して１つ以上のコアネットワークと通信することができ、例えば、端末は移動電話（「セルラ」電話とも言われる）、移動端末を備えるコンピューターであっても良いし、携帯型、ポケット型、ハンドヘルド型、コンピュータ内蔵又は車載の移動装置であってもよく、これらは無線アクセスネットワークと音声及び／又はデータを交換する。
【００４１】
ネットワークデバイスは端末デバイスと通信するためのデバイスであっても良く、例えばＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）システム又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  ＮｏｄｅＢ）であってよく、又は該基地局は中継局、アクセスポイント、車載デバイス、ウェアラブルデバイス及び将来の５Ｇネットワークにおけるアクセスデバイスなどであっても良い。
【００４２】
図１は本発明の実施例における信号伝送方法１００のフローチャートを示す。図１は信号伝送方法のステップや操作を示しているが、これらのステップや操作が例示的なものであり、本発明の実施例は、他の操作又は図１の各操作の変形を実行してもよく、当該方法１００は、Ｓ１１０及びＳ１２０を含む。
【００４３】
Ｓ１１０において、端末デバイスは、第１信号の伝送に使用する第１基本パラメータセット（ｎｕｍｅｒｏｌｏｇｙ）に基づいて、前記第１信号を伝送するリソースプールを確定する。
【００４４】
Ｓ１２０において、前記端末デバイスが前記第１信号を伝送するリソースプール内の伝送リソースを使用して前記第１信号を伝送する。
【００４５】
選択可能で、Ｓ１１０において、端末デバイスは、基本パラメータセットとリソースプールとの対応関係に基づいて、第１信号を伝送するリソースプールを確定してもよいし、予め設定された基本パラメータセットとリソースプールとの内在関係又はロジック関係に基づいて、前記第１信号を伝送するリソースプールを確定してもよいし、他の方式で第１基本パラメータセットに基づいて前記第１信号を伝送するリソースプールを確定してもよい。
【００４６】
そして、端末デバイスは、第１基本パラメータセットに基づいて対応するリソースプールを取得してから、リソースプール内の伝送リソースを使用して前記第１信号を伝送することができ、このように、端末デバイスは、基本パラメータセットに基づいて対応するリソースプールを確定し、従来技術において端末デバイスに特定のリソースプールを割り当てることを回避し、端末デバイスは、前記第１基本パラメータセットに基づいて前記第１信号に対応するリソースプールを確定することができ、リソースプールの選択の柔軟性を向上させることができる。
【００４７】
さらに、異なるサービス要求に対して異なるリソースプールを選択することができ、例えば、当該第１信号が第１サービスタイプである時に、第１リソースプールを選択し、当該第１信号が第２サービスタイプである時に、第２リソースプールを選択し、このように、異なるサービスの要求を満たしていることができる。
【００４８】
選択可能で、第１信号がランダムアクセス信号であってもよく、例えば、Ｐｒｅａｍｂｌｅ信号又は物理ランダムアクセスチャネル（ＰＲＡＣＨ：ＰｈｙＳｉｃａｌ  Ｒａｎｄｏｍ  Ａｃｃｅｓｓ  Ｃｈａｎｎｅｌ）、データ信号、アップリンク制御信号、（例えば、ＰＵＣＣＨ：ＰｈｙＳｉｃａｌ  Ｕｐｌｉｎｋ  Ｃｏｎｔｒｏｌ  Ｃｈａｎｎｅｌ又はＳｃｈｅｄｕｌｅ  Ｒｅｑｕｅｓｔ等）等であり、本発明の実施例はこれに限定しない。
【００４９】
１つの選択可能な実施例として、Ｓ１１０の前に、前記方法１００は、さらに、前記端末デバイスが少なくとも１つのリソースプールと少なくとも１つの基本パラメータセットとの対応関係を取得することを含み、前記対応関係は、前記少なくとも１つの基本パラメータセット内の各基本パラメータセットが１つ以上のリソースプールに対応することを示すために用いられ、前記少なくとも１つの基本パラメータセットは、前記第１基本パラメータセットを含み、ここで、Ｓ１１０は、前記端末デバイスが前記第１信号の伝送に使用する前記第１基本パラメータセット及び前記対応関係に基づいて、前記少なくとも１つのリソースプールから前記第１信号を伝送する前記リソースプールを確定することを含む。
【００５０】
１つの選択可能な実施例として、端末デバイスは２つの方式で少なくとも１つのリソースプールと少なくとも１つの基本パラメータセットの対応関係を取得することができる。第１方式として、ネットワークデバイスが端末に第１指示情報を送信し、当該第１指示情報は、前記対応関係を示すために用いられ、端末デバイスが当該第１指示情報を受信し、当該第１指示情報に基づいて前記少なくとも１つのリソースプールと前記少なくとも１つの基本パラメータセットとの対応関係を取得する。具体的に、ネットワークデバイスがユーザー専用シグナリング又はＤＣＩにより当該第１指示情報を送信し、端末デバイスがユーザー専用シグナリング又はＤＣＩにより当該第１指示情報を受信してもよく、または、ネットワークデバイスがプロトコルにより規定された方式で端末デバイスに当該第１指示情報を送信し、端末デバイスがプロトコルにより規定された方式でネットワークデバイスからの第１指示情報を受信してもよく、本発明の実施例はこれに限定しない。第２方式として、端末デバイスは、自身が保留している少なくとも１つのリソースプールと少なくとも１つの基本パラメータセットとの対応関係を取得してもよい。なお、例として、端末デバイスが当該対応関係を一回のみ取得し、その後、自身の基本パラメータセットに基づいてリソースプールを確定する際に、当該対応関係を使用してリソースプールを確定する。
【００５１】
選択可能で、少なくとも１つのリソースプールと少なくとも１つの基本パラメータセットとの対応関係について、少なくとも１つのリソースプール内の１つのリソースプールが１つの基本パラメータセットに対応してもよいし、１つの基本パラメータセットが１つ以上のリソースプールに対応してもよく、即ち、異なるリソースプールが同じ基本パラメータセットに対応してもよい。
【００５２】
選択可能で、前記第１信号を伝送するリソースプール及び／又は前記少なくとも１つのリソースプール内の各リソースプールは、少なくとも１つの伝送リソースを含み、及び／又は、前記第１信号を伝送するリソースプールは、少なくとも１つの伝送リソースを含み、前記少なくとも１つの伝送リソースの各伝送リソースは、物理的な時間周波数リソース及び／又はシーケンスリソースを含み、ここで、シーケンスリソースは１つのシーケンスセット内のシーケンスであってもよいし、１つのコードブックのコードワードであってもよいし、１つのインターレースパターンであってもよく、さらに、少なくとも１つのリソースプール内の各リソースプール内の伝送リソースが互いに直交し、少なくとも１つのリソースプールの各リソースプールが互いに直交することは、物理的な時間周波数リソースが互いに直交してもよいし、シーケンスリソースが互いに直交してもよいし、物理的な時間周波数リソースが互いに直交し且つシーケンスリソースが互いに直交してもよい。
【００５３】
なお、少なくとも１つのリソースプールと少なくとも１つの基本パラメータセットとの対応関係について、少なくとも１つのリソースプール内の１つのリソースプールが１つの基本パラメータセットに対応してもよいし、１つの基本パラメータセットが１つ以上のリソースプールに対応してもよく、即ち、異なるリソースプールが同じ基本パラメータセットに対応してもよい。
【００５４】
なお、本発明の実施例において、第１基本パラメータセット及び／又は前記少なくとも１つの基本パラメータセット内の各基本パラメータセットは、サブキャリア間隔、システム帯域幅に含まれるサブキャリアの数、ＰＲＢに含まれるサブキャリアの数、直交周波数分割多重ＯＦＤＭのシンボルの長さ、ＯＦＤＭ信号の生成に使用する高速フーリエ変換又は高速フーリエ逆変換の点数、伝送時間間隔ＴＴＩ含まれるＯＦＤＭシンボルの数、第１時間帯に含まれるＴＴＩ数、及び前記第１信号のサイクリックプレフィックスタイプ信号及び信号ＣＰの時間長さを含む。サブキャリア間隔は、隣接するサブキャリアの周波数間隔、例えば１５ｋＨｚ、６０ｋＨｚ等を指し、特定システム帯域幅下のサブキャリアの数は、例えば、可能なシステム帯域幅に対応するサブキャリアの数であり、ＰＲＢに含まれるサブキャリアの数は、例えば６又は１６の整数倍であり、ＴＴＩ中に含まれるＯＦＤＭシンボルの数は、例えば２、４、７の整数倍であってもよいし、１４の整数倍であってもよく、第１時間帯に含まれるＴＴＩの数は、１ｍｓ又は１０ｍｓの時間長さに含まれるＴＴＩの数を指し、第１信号ＣＰタイプは、サイクリックプレフィックスに通常ＣＰ又は拡張ＣＰを使用するかを示し、信号ＣＰの時間長さは、第１信号のＣＰの時間長さである。
【００５５】
選択可能で、基本パラメータセットは、さらに、将来のネットワークシステムに新たに定義されたリソース分割の基本パラメータを含み、例えば、基本周波数領域ユニット、基本周波数領域ユニットパターン、サブキャリアパターン、参照シンボルの時間領域ユニットに占用する位置、単位周期内のＴＴＩパターン、フレーム内のサブフレームのパターン、サブフレーム内のタイムスロットのパターン、タイムスロットにおけるＯＦＤＭパターン等であってもよい。
【００５６】
１つの選択可能な実施例として、Ｓ１１０に前に、前記方法１００は、さらに、前記端末デバイスが前記第１信号の伝送に使用する前記第１基本パラメータセットを確定することを含む。端末デバイスは以下の５つの方式で、信号の伝送に使用する第１基本パラメータセットを確定する。
【００５７】
第１方式として、前記端末デバイスは、前記第１信号のサービスタイプに基づいて前記第１信号の伝送に使用する前記第１基本パラメータセットを確定し、例えば、ネットワークデバイスと端末デバイスとは、第１サービスタイプに基本パラメータセット１を使用し、第２サービスタイプに基本パラメータセット２を使用することを予め約束し、前記第１信号が第１サービスタイプに属する場合、端末デバイスが基本パラメータセット１を第１基本パラメータセットとして確定し、前記第１信号が第２サービスタイプに属する場合、端末デバイスが基本パラメータセット２を第１基本パラメータセットとして確定する。
【００５８】
第２方式として、前記端末デバイスは、前記第１信号を伝送するための周波数帯に基づいて前記第１信号の伝送に使用する前記第１基本パラメータセットを確定し、例えば、端末デバイスとネットワークデバイスとは、第１動作周波数帯が基本パラメータセット３に対応し、第２動作周波数帯が基本パラメータセット４に対応することを予め約束し、端末デバイスが第１動作周波数帯において前記第１信号を伝送する場合、端末デバイスが基本パラメータセット３を第１基本パラメータセットとして確定し、端末デバイスが第２動作周波数帯において前記第１信号を伝送する場合、端末デバイスが基本パラメータセット４を第１基本パラメータセットとして確定する。
【００５９】
第３方式として、前記端末デバイスは、ネットワークデバイスとの間のパスロスパラメータに基づいて前記第１信号の伝送に使用する前記第１基本パラメータセットを確定し、例えば、端末デバイスとネットワークデバイスとは、パスロスパラメータが第１閾値より大きい場合、基本パラメータセット５を選択し、パスロスパラメータが第１閾値より小さい場合、基本パラメータセット６を選択し、端末デバイスは、ネットワークデバイスとの間のパスロスパラメータに基づいて判断を行い、基本パラメータセット５又は基本パラメータセット６選択し、それを第１基本パラメータセットとする。
【００６０】
第４方式として、ネットワークデバイスが端末デバイスに第３指示情報を送信し、前記端末デバイスがネットワークデバイスにより送信された第３指示情報を受信し、前記第３指示情報は、前記第１信号の伝送に使用する前記第１基本パラメータセットを示すために用いられ、前記端末デバイスが前記第３指示情報に基づいて前記第１信号の伝送に使用する前記第１基本パラメータセットを確定する。選択可能で、ネットワークデバイスがユーザー専用シグナリングにより端末デバイスに第３指示情報を送信し、端末デバイスがネットワークデバイスがユーザー専用シグナリングにより送信した第３指示情報を受信してもよく、ネットワークデバイスがブロードキャストシグナリングにより第３指示情報を送信し、端末デバイスがネットワークデバイスがブロードキャストシグナリングにより送信した第３指示情報を受信してもよく、ネットワークデバイスがＤＣＩにより端末デバイスに第３指示情報を送信し、端末デバイスがネットワークデバイスがＤＣＩにより送信した第３指示情報を受信してもよく、勿論、ネットワークデバイスが他の方式で端末デバイスに第３指示情報を送信し、端末デバイスがネットワークデバイスが他の方式で送信した第３指示情報を受信してもよく、本発明の実施例はこれに限定しない。
【００６１】
第５方式として、前記端末デバイスが、前記第１信号以外の第２信号を検定し、前記第２信号の伝送に使用する基本パラメータセットを前記第１信号の伝送に使用する第１基本パラメータセットとして確定する。即ち、端末デバイスは、自分の伝送する信号の以外の他の信号が使用する基本パラメータセットを検定し、他の信号の基本パラメータセットを自分の第１基本パラメータセットとしてもよい。
【００６２】
１つの選択可能な実施例として、端末デバイスが対応関係に基づいて前記少なくとも１つのリソースプールから確定した前記第１信号を伝送するリソースプールは、１つ以上である可能性がある。端末デバイスが１つのリソースプールを確定した場合、当該リソースプールの伝送リソースにおいて前記第１信号を伝送する。前記端末デバイスが前記第１信号の伝送に使用する前記第１基本パラメータセット及び前記対応関係に基づいて、前記少なくとも１つのリソースプールから前記第１信号を伝送するリソースプールを確定することは、前記対応関係に示す前記第１基本パラメータセットに対応するリソースプールが複数である場合、前記端末デバイスが複数のリソースプールから前記第１信号を伝送するリソースプールを確定することを含む。端末が複数のリソースプールを確定した場合、以下の４つの方式で前記第１信号を伝送するリソースプールを確定する。
【００６３】
第１方式として、前記端末デバイス前記複数のリソースプールから１つのリソースプールをランダムに選択して、前記第１信号を伝送るリソースプールとし、Ｍが２以上、Ｎ以下の整数である。
【００６４】
第２方式として、前記端末デバイスは、前記端末デバイスの無線ネットワークテンポラリアイデンティティ又は前記端末デバイスのセル識別子に基づいて、リソースプールインデックスを確定し、前記リソースプールインデックスに基づいて前記複数のリソースプールから前記第１信号を伝送するリソースプールを確定する。
【００６５】
第３方式として、前記端末デバイスが前記複数のリソースプールに対して負荷測定を行った後、負荷が一番低い又は第１閾値より低いリソースプールを選択して、前記第１信号を伝送するリソースプールとし、例えば、端末デバイスは、複数のリソースプールに受信した信号電力の大きさを測定し、信号平均受信電力の一番低い伝送リソースプールを選択し、さらに、信号平均受信電力の一番低い伝送リソースプールが複数である場合、信号平均受信電力の一番低い伝送リソースプールから１つのリソースプールを任意選択し、勿論、条件を設定し、複数のリソースプールからリソースプールを再選択してもよい。信号平均受信電力が第１閾値より小さいリソースプールから１つのリソースプールを選択してもよく、本発明の実施例はこれに限定しない。
【００６６】
第４方式、前記端末デバイスが複数のリソースプールから前記第１信号を伝送するリソースプールを確定する前に、前記方法１００は、さらに、前記端末デバイスがネットワークデバイスにより送信された第２指示情報を受信することを含み、前記第２指示情報は、前記端末デバイスが前記第１信号の伝送に使用するリソースプールインデックスを示すために用いられ、ここで、前記端末デバイスが前記複数のリソースプールからリソースプールを確定することは、前記端末デバイスが前記第２指示情報が示すリソースプールインデックスに基づいて、前記複数のリソースプールから前記第１信号を伝送するリソースプールを確定することを含む。
【００６７】
具体的に、Ｓ１２０において、端末デバイスが前記第１信号を伝送するリソースプール内の伝送リソースを使用して前記第１信号を伝送し、リソースプールに含まれる少なくとも１つの伝送リソースから前記第１信号を伝送するための伝送リソースを選択してから、前記第１信号を伝送してもよい。リソースプールに１つの伝送リソースが含まれる場合、端末デバイスが当該伝送リソースにおいて前記第１信号を伝送すればよく、リソースプールには複数の伝送リソースが含まれる場合、複数の伝送リソースから前記第１信号を伝送するためのリソースを選択する必要があり、具体的に、以下の４つの方式で、リソースプールに含まれる少なくとも１つの伝送リソースから前記第１信号を伝送するための伝送リソースを確定する。
【００６８】
第１方式として、前記端末デバイスが、前記第１信号を伝送するリソースプールに含まれる少なくとも１つの伝送リソースから伝送リソースをランダムに選択して、前記第１信号を伝送する。
【００６９】
第２方式として、前記端末デバイスは、端末デバイスの無線ネットワークテンポラリアイデンティティ又は前記端末デバイスのセル識別子に基づいて伝送リソースインデックスを確定し、伝送リソースインデックスに基づいて、前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送する。
【００７０】
第３方式として、端末デバイスは、予め構成された伝送リソースインデックスを保留しており、前記端末デバイスは、予め構成された伝送リソースインデックスに基づいて、前記第１信号を伝送するリソースプールに含まれる少なくとも１つの伝送リソースから前記第１信号を伝送するための伝送リソースを確定し、前記第１信号を伝送するためのリソースにおいて前記第１信号を伝送する。
【００７１】
第４方式として、前記端末デバイスが、前記第１信号を伝送するリソースプールに含まれる少なくとも１つの伝送リソースに負荷測定を行い、負荷が一番低い又は第２閾値より低い伝送リソースを選択し、前記負荷が一番低い又は第２閾値より低い伝送リソースにおいて前記第１信号を伝送し、例えば、端末デバイスは、リソースプールに含まれる少なくとも１つの伝送リソースの各伝送リソースの信号受信電力を測定し、信号平均受信電力の一番低い伝送リソースを前記第１信号を伝送するためのリソースとして選定し、さらに、信号平均受信電力の一番低い伝送リソースが複数である場合、複数の伝送リソースから１つの伝送リソースを任意に選択し、前記第１信号を伝送するための伝送リソースとしてもよい。勿論、信号平均受信電力が閾値より低い伝送リソース内の任意の伝送リソースを第１信号を伝送するための伝送リソースとしてもよい。
【００７２】
そして、本発明の実施例における信号伝送方法によって、端末デバイスは、リソースプールと基本パラメータセットとの対応関係に基づいて端末デバイスの第１基本パラメータセットに対するリソースプールを確定し、リソースプール内の伝送リソースを使用して前記第１信号を伝送し、従来技術において端末デバイスに特定のリソースプールを割り当てることを回避し、本発明の実施例における端末デバイスは、信号に基づいてリソースプールを選択することができ、例えば、伝送信号の周波数帯、信号のサービスタイプに基づいて信号を伝送するための第１基本パラメータセットを選択し、さらに、その対応関係に基づいて前記第１信号を伝送するリソースプールを確定し、端末デバイスがリソースプールに対する要求を満たしているとともに、端末デバイスのリソースプールの選択の柔軟性を向上させることができる。
【００７３】
理解しやすくなるために、以下、２つの例を挙げるが、これは本発明の実施例を限定しなく、例１として、端末デバイスが（ＲＲＣ：Ｒａｄｉｏ  Ｒｅｓｏｕｒｃｅ  Ｃｏｎｔｒｏｌ）シグナリングにより対応関係を取得し、基本パラメータセットがサブキャリア間隔であり、具体的に、以下のステップ１〜４を含む。
【００７４】
ステップ１において、ネットワークデバイスが端末デバイスにＲＲＣシグナリングを送信し、ＲＲＣシグナリングに第１指示情報が含まれ、例えば、当該第１指示情報は、相違するＮ個のサブキャリア間隔に対応するＮ個のリソースプールを示す。具体的に、第１指示情報は、Ｎ個のリソースプールの各リソースプールの周波数領域の開始位置と終了位置、各リソースプールに含まれるサブフレーム、各リソースプールに含まれる少なくとも１つの時間周波数リソースを含んでもよく、各サブキャリアが１つのリソースプールに対応し、勿論、各サブキャリアが複数のリソースプールに対応してもよく、便宜上、ここで各サブキャリアが１つのリソースプールに対応すると仮定する。
【００７５】
ステップ２において、端末デバイスがＲＲＣシグナリングによりネットワークデバイスからの第１指示情報を受信した後、現在伝送するデータのサービスタイプに基づいて、競合に基づくランダムアクセス信号の送信に使用するサブキャリア間隔を確定する。
【００７６】
ステップ３において、端末デバイスは、サブキャリア間隔及び第１指示情報に基づいて、Ｎ個のリソースプールから、現在伝送するデータを伝送するためのターゲットリソースプールを確定する。
【００７７】
ステップ４において、端末デバイスは、ターゲットリソースプールに含まれる少なくとも１つの物理的な時間周波数リソーから１つの物理的な時間周波数リソースを任意に選択してランダムアクセス信号の伝送を行う。
【００７８】
例２として、端末デバイスは、ブロードキャストシグナリングにより対応関係を取得し、基本パラメータセットがサイクリックプレフィックスタイプであり、具体的に、以下のステップ１〜５を含む。
【００７９】
ステップ１において、ネットワークデバイスが端末デバイスにブロードキャストシグナリングを送信し、ブロードキャストシグナリングに第１指示情報が含まれ、当該第１指示情報は、Ｎ個のリソースプールと前記Ｎ個のリソースプールに対応するサイクリックプレフィックスタイプを示す。具体的に、当該第１指示情報は、周波数領域リソースの開始位置と終了位置、各リソースプールに含まれるサブフレーム、各リソースプールに含まれる少なくとも１つの伝送リソースを示してもよく、各伝送リソースは、時間周波数リソース及びシーケンスリソースを含み、各リソースプールは、シーケンスリソースを含む。
【００８０】
ステップ２において、端末デバイスがネットワークデバイスからブロードキャストしたブロードキャストシグナリングを受信した後、ブロードキャストシグナリングから第１指示情報を取得し、端末デバイスがデータ信号の送信に使用するサイクリックプレフィックスタイプを確定する。
【００８１】
ステップ３において、端末デバイスがＮ個のリソースプールから、データ信号を送信するためのサイクリックプレフィックスタイプに対応する２つのリソースプールを確定する。
【００８２】
ステップ４において、端末デバイスは、受信されたＲＲＣシグナリングに基づいてリソースプールインデックスを確定し、リソースプールインデックスに基づいて２つのリソースプールからターゲットリソースプールを確定する。
【００８３】
ステップ５において、端末デバイスは、ＲＮＴＩに基づいて伝送リソースのインデックスを算出し、伝送リソースのインデックスに基づいてターゲットリソースプールに含まれる少なくとも１つの伝送リソースから前記データ信号を伝送するためのリソースを確定し、端末デバイスが伝送リソースに含まれる時間周波数リソースとシーケンスリソースにおいてデータ信号を伝送する。
【００８４】
以上、図１を参照し本発明の実施例における信号伝送方法を説明し、以下、図２及び図３を参照し本発明の実施例における信号伝送装置を説明する。
【００８５】
図２は本発明の実施例における信号伝送装置２００の模式図を示し、当該装置は、例えば方法１００における端末デバイスであってもよく、当該装置２００は、確定モジュール２１０及び伝送モジュール２２０を含む。
【００８６】
確定モジュール２１０は、第１信号の伝送に使用する第１基本パラメータセットに基づいて、前記第１信号を伝送するリソースプールを確定するように構成される。
【００８７】
伝送モジュール２２０は、前記第１信号を伝送するリソースプール内の伝送リソースを使用して、前記第１信号を伝送するように構成される。
【００８８】
１つの選択可能な実施例として、前記装置２００は、さらに、取得モジュールを含み、前記取得モジュールは、前記第１信号の伝送に使用する第１基本パラメータセットに基づいて前記第１信号を伝送するリソースプールを確定する前に、少なくとも１つのリソースプールと少なくとも１つの基本パラメータセットとの対応関係を取得するように構成され、前記対応関係は、前記少なくとも１つの基本パラメータセット内の各基本パラメータセットが１つ以上のリソースプールに対応することを示すために用いられ、前記少なくとも１つの基本パラメータセットは、前記第１基本パラメータセットを含み、前記確定モジュール２１０は、具体的に、前記第１信号の伝送に使用する前記第１基本パラメータセット及び前記対応関係に基づいて、前記少なくとも１つのリソースプールから前記第１信号を伝送する前記リソースプールを確定するように構成される。
【００８９】
１つの選択可能な実施例として、前記取得モジュールは、具体的に、ネットワークデバイスにより送信された第１指示情報を受信し、第１指示情報に基づいて前記少なくとも１つのリソースプールと前記少なくとも１つの基本パラメータセットとの前記対応関係を取得するように構成され、前記第１指示情報は、前記対応関係を示すために用いられる。
【００９０】
１つの選択可能な実施例として、前記確定モジュール２１０は、具体的に、前記対応関係に示す前記第１基本パラメータセットに対応するリソースプールが複数である場合、複数のリソースプールから前記第１信号を伝送するリソースプールを確定するように構成される。
【００９１】
１つの選択可能な実施例として、前記確定モジュール２１０は、具体的に、前記複数のリソースプールから１つのリソースプールをランダムに選択して、前記第１信号を伝送するリソースプールとすること、又は、
前記装置の伝送パラメータに基づいてリソースプールインデックスを確定し、前記リソースプールインデックスに基づいて前記複数のリソースプールから前記第１信号を伝送するリソースプールを確定し、又は、
前記複数のリソースプールに対して負荷測定を行った後、負荷が一番低い又は第１閾値より低いリソースプールを選択して、前記第１信号を伝送するリソースプールとするように構成される。
【００９２】
１つの選択可能な実施例として、前記装置２００は、さらに、受信モジュールを含み、前記受信モジュールは、前記複数のリソースプールから前記第１信号を伝送するリソースプールを確定する前に、ネットワークデバイスにより送信された第２指示情報を受信するように構成され、前記第２指示情報は、前記装置前記第１信号の伝送に使用するリソースプールインデックスを示すために用いられ、前記確定モジュール２１０は、具体的に、前記第２指示情報が示すリソースプールインデックスに基づいて、前記複数のリソースプールから前記第１信号を伝送するリソースプールを確定するように構成される。
【００９３】
１つの選択可能な実施例として、前記確定モジュール２２０は、具体的に、前記第１信号の伝送に使用する第１基本パラメータセットに基づいて前記第１信号を伝送するリソースプールを確定する前に、前記第１信号の伝送に使用するための前記第１基本パラメータセットを確定するように構成される。
【００９４】
１つの選択可能な実施例として、前記確定モジュール２１０は、具体的に、前記第１信号のサビースタイプ、周波数帯及びパスロスパラメータのうちの少なくとも１つに基づいて、前記第１信号の伝送に使用するための前記第１基本パラメータセットを確定するように構成される。
【００９５】
１つの選択可能な実施例として、前記確定モジュール２１０は、具体的に、ネットワークデバイスにより送信された第３指示情報を受信するように構成され、前記第３指示情報は、前記第１信号の伝送に使用する前記第１基本パラメータセットを示すために用いられ、前記第３指示情報に基づいて前記第１信号の伝送に使用する前記第１基本パラメータセットを確定するように構成される。
【００９６】
１つの選択可能な実施例として、前記確定モジュール２１０は、具体的に、前記第１信号の以外の第２信号を検定し、前記第２信号の伝送に使用する基本パラメータセットを前記第１信号の伝送に使用する第１基本パラメータセットとして確定するように構成される。
【００９７】
１つの選択可能な実施例として、前記伝送モジュール２２０は、具体的に、
前記第１信号を伝送するリソースプールに含まれる少なくとも１つの伝送リソースから、伝送リソースをランダムに選択して前記第１信号を伝送し、又は、
前記装置の伝送パラメータに基づいて伝送リソースインデックスを確定し、伝送リソースインデックスに基づいて前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送し、又は、
予め設定された伝送リソースインデックスに基づいて、前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送し、又は、
前記第１信号を伝送するリソースプールに含まれる少なくとも１つの伝送リソースに負荷測定を行い、負荷が一番低い又は第２閾値より低い伝送リソースを選択し、前記負荷が一番低い又は第２閾値より低い伝送リソースにおいて前記第１信号を伝送するように構成される。
【００９８】
１つの選択可能な実施例として、前記リソースプールは、少なくとも１つの伝送リソースを含み、前記少なくとも１つの伝送リソースの各伝送リソースは、物理的な時間周波数リソース及び/又はシーケンスリソースを含む。
【００９９】
１つの選択可能な実施例として、前記基本パラメータセットは、サブキャリア間隔、システム帯域幅に含まれるサブキャリアの数、ＰＲＢに含まれるサブキャリアの数、直交周波数分割多重ＯＦＤＭのシンボルの長さ、ＯＦＤＭ信号の生成に使用する高速フーリエ変換ＦＦＴ又は高速フーリエ逆変換ＩＦＦＴの点数、ＴＴＩに含まれるＯＦＤＭシンボルの数、第１時間帯に含まれるＴＴＩの数、及び前記第１信号のＣＰタイプ信号と信号ＣＰの時間長さのうちの少なくとも1つを含む。
【０１００】
１つの選択可能な実施例として、前記第１信号は、ランダムアクセス信号、データ信号又はアップリンク制御信号である。
【０１０１】
なお、ここの装置２００が機能モジュールにより体現される。ここの単語「モジュール」は、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、１つ以上のソフトウェア又はファームウェアプログラムを実行するプロセッサー（例えば共有プロセッサー、専有プロセッサー又はプロセッサーセット等）、メモリ、結合論理回路及び／又は上記の機能をサポートする他の部品を指す。１つの選択可能な例において、当業者は、装置２００が上記の実施例における端末デバイスであり、上記の方法１００の実施例における端末デバイスに対応する各プロセス及び／又はステップを実行することができると理解され、重複の説明を回避するために、ここで説明を省略する。
【０１０２】
図３は本発明の実施例における信号伝送装置３００を示す。例えば、当該装置３００が方法１００における端末デバイスであってもよく、当該装置３００は、送受信機３１０、プロセッサー３２０、メモリ３３０及びバスシステム３４０を含む。ここで、送受信機３１０とプロセッサー３２０とメモリ３３０とはバスシステム３４０により接続され、当該メモリ３３０が命令を記憶し、当該プロセッサー３２０が当該メモリ３３０に記憶された命令を実行して、当該送受信機３１０が信号を送受信する。
【０１０３】
ここで、プロセッサー３２０は、第１信号の伝送に使用する第１基本パラメータセットに基づいて、前記第１信号を伝送するリソースプールを確定するように構成され、送受信機３１０が前記第１信号を伝送するリソースプール内の伝送リソースを使用して、前記第１信号を伝送するように構成される。
【０１０４】
１つの選択可能な実施例として、前記送受信機３１０は、さらに、前記第１信号の伝送に使用する第１基本パラメータセットに基づいて前記第１信号を伝送するリソースプールを確定する前に、少なくとも１つのリソースプールと少なくとも１つの基本パラメータセットとの対応関係を取得するように構成され、前記対応関係は、前記少なくとも１つの基本パラメータセット内の各基本パラメータセットが１つ以上のリソースプールに対応することを示すために用いられ、前記少なくとも１つの基本パラメータセットは、前記第１基本パラメータセットを含み、前記プロセッサー３２０は、具体的に、前記第１信号の伝送に使用する前記第１基本パラメータセット及び前記対応関係に基づいて、前記少なくとも１つのリソースプールから前記第１信号を伝送する前記リソースプールを確定するように構成される。
【０１０５】
１つの選択可能な実施例として、前記送受信機３１０は、さらに、ネットワークデバイスにより送信された第１指示情報を受信し、第１指示情報に基づいて前記少なくとも１つのリソースプールと前記少なくとも１つの基本パラメータセットとの前記対応関係を取得するように構成され、前記第１指示情報は、前記対応関係を示すために用いられる。
【０１０６】
１つの選択可能な実施例として、前記プロセッサー３２０は、具体的に、前記対応関係に示す前記第１基本パラメータセットに対応するリソースプールが複数である場合、複数のリソースプールから前記第１信号を伝送するリソースプールを確定するように構成される。
【０１０７】
１つの選択可能な実施例として、前記プロセッサー３２０は、具体的に、前記複数のリソースプールから１つのリソースプールをランダムに選択して、前記第１信号を伝送るリソースプールとし、又は、
前記装置の伝送パラメータに基づいてリソースプールインデックスを確定し、前記リソースプールインデックスに基づいて前記複数のリソースプールから前記第１信号を伝送するリソースプールを確定し、又は、
前記複数のリソースプールに対して負荷測定を行った後、負荷が一番低い又は第１閾値より低いリソースプールを選択して、前記第１信号を伝送するリソースプールとするように構成される。
【０１０８】
１つの選択可能な実施例として、前記送受信機３１０は、さらに、前記複数のリソースプールから前記第１信号を伝送するリソースプールを確定する前に、ネットワークデバイスにより送信された第２指示情報を受信するように構成され、前記第２指示情報は、前記装置前記第１信号の伝送に使用するリソースプールインデックスを示すために用いられ、前記プロセッサー３２０は、具体的に、前記第２指示情報が示すリソースプールインデックスに基づいて、前記複数のリソースプールから前記第１信号を伝送するリソースプールを確定するように構成される。
【０１０９】
１つの選択可能な実施例として、前記プロセッサー３２０は、具体的に、前記第１信号の伝送に使用する第１基本パラメータセットに基づいて前記第１信号を伝送するリソースプールを確定する前に、前記第１信号の伝送に使用するための前記第１基本パラメータセットを確定するように構成される。
【０１１０】
１つの選択可能な実施例として、前記プロセッサー３２０は、具体的に、前記第１信号のサビースタイプ、周波数帯及びパスロスパラメータのうちの少なくとも１つに基づいて、前記第１信号の伝送に使用するための前記第１基本パラメータセットを確定するように構成される。
【０１１１】
１つの選択可能な実施例として、前記プロセッサー３２０は、具体的に、ネットワークデバイスにより送信された第３指示情報を受信し、前記第３指示情報に基づいて前記第１信号の伝送に使用する前記第１基本パラメータセットを確定するように構成され、前記第３指示情報は、前記第１信号の伝送に使用する前記第１基本パラメータセットを示すために用いられる。
【０１１２】
１つの選択可能な実施例として、前記プロセッサー３２０は、具体的に、前記第１信号の以外の第２信号を検定し、前記第２信号の伝送に使用する基本パラメータセットを前記第１信号の伝送に使用する第１基本パラメータセットとして確定するように構成される。
【０１１３】
１つの選択可能な実施例として、前記送受信機３１０は、具体的に、
前記第１信号を伝送するリソースプールに含まれる少なくとも１つの伝送リソースから、伝送リソースをランダムに選択して前記第１信号を伝送し、又は、
前記装置の伝送パラメータに基づいて伝送リソースインデックスを確定し、伝送リソースインデックスに基づいて前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送し、又は、
予め設定された伝送リソースインデックスに基づいて、前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送し、又は、
前記第１信号を伝送するリソースプールに含まれる少なくとも１つの伝送リソースに負荷測定を行い、負荷が一番低い又は第２閾値より低い伝送リソースを選択し、前記負荷が一番低い又は第２閾値より低い伝送リソースにおいて前記第１信号を伝送するように構成される。
【０１１４】
１つの選択可能な実施例として、前記リソースプールは、少なくとも１つの伝送リソースを含み、前記少なくとも１つの伝送リソースの各伝送リソースは、物理的な時間周波数リソース及び/又はシーケンスリソースを含む。
【０１１５】
１つの選択可能な実施例として、前記基本パラメータセットは、サブキャリア間隔、システム帯域幅に含まれるサブキャリアの数、ＰＲＢに含まれるサブキャリアの数、直交周波数分割多重ＯＦＤＭのシンボルの長さ、ＯＦＤＭ信号の生成に使用する高速フーリエ変換ＦＦＴ又は高速フーリエ逆変換ＩＦＦＴの点数、ＴＴＩに含まれるＯＦＤＭシンボルの数、第１時間帯に含まれるＴＴＩの数、及び前記第１信号のＣＰタイプ信号と信号ＣＰの時間長さのうちの少なくとも1つを含む。
【０１１６】
なお、装置３００が上記の実施例における端末デバイスであってもよく、上記の方法の実施例において端末デバイスに対応する各ステップ及び／又はプロセスを実行することができる。選択可能で、当該メモリ３４０が読み取り専用メモリ及びランダムアクセスメモリを含み、プロセッサーに命令及びデータを提供する。メモリが不揮発性ランダムアクセスメモリを含む。例えば、メモリは、デイバスタイプの情報を記憶する。当該プロセッサー３２０がメモリに記憶した命令を実行し、当該プロセッサーが当該命令を実行する場合、当該プロセッサーが上記の方法１００実施例における端末デバイスに対応する各ステップを実行する。
【０１１７】
なお、本発明の実施例において、プロセッサー３２０が中央処理ユニット（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであっても良い。汎用プロセッサは、マイクロプロセッサー、いかなる通常のプロセッサー等であってもよい。
【０１１８】
なお、本明細書に記載される「及び／又は」、関連対象の関連関係を説明するものだけであり、以下の３つの関係を示す。例えば、Ａ及び／又はＢは、Ａが単独存在すること、ＡとＢが同時に存在すること、及びＢが単独存在することそれぞれ示す。また、本明細書に記載される「／」は、通常に、前後の関連対象の「又は」の関係を示す。
【０１１９】
なお、本発明の各実施例において、上記各過程の番号が実行順番の前後を意味しなく、各過程の実行順番は、その機能及び組み込み論理に決定され、本発明の実施例の実行過程を限定しない。
【０１２０】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１２１】
当業者は、上記のシステム、装置及びユニットの具体的な動作過程が、上記の方法の実施例に対する過程を参照されると理解され、ここで説明を省略する。
【０１２２】
本発明に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１２３】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１２４】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１２５】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【手続補正２】
【補正対象書類名】特許請求の範囲
【補正対象項目名】全文
【補正方法】変更
【補正の内容】
【特許請求の範囲】
【請求項１】
信号伝送方法であって、
端末デバイスが第１信号の伝送に使用する第１基本パラメータセットに基づいて、前記第１信号を伝送するリソースプールを確定することと、
前記端末デバイスが前記第１信号を伝送するリソースプール内の伝送リソースを使用して前記第１信号を伝送することとを含む
ことを特徴とする信号伝送方法。
【請求項２】
前記端末デバイスが第１信号の伝送に使用する第１基本パラメータセットに基づいて、前記第１信号を伝送するリソースプールを確定する前に、前記方法は、さらに、
前記端末デバイスが少なくとも１つのリソースプールと少なくとも１つの基本パラメータセットとの対応関係を取得することを含み、
前記対応関係は、前記少なくとも１つの基本パラメータセット内の各基本パラメータセットが１つ以上のリソースプールに対応することを示すために用いられ、
前記少なくとも１つの基本パラメータセットは、前記第１基本パラメータセットを含み、
前記端末デバイスが第１信号の伝送に使用する第１基本パラメータセットに基づいて、前記第１信号を伝送するリソースプールを確定することは、
前記端末デバイスが前記第１信号の伝送に使用する前記第１基本パラメータセット及び前記対応関係に基づいて、前記少なくとも１つのリソースプールから前記第１信号を伝送する前記リソースプールを確定することを含む
ことを特徴とする請求項１に記載の信号伝送方法。
【請求項３】
前記端末デバイスが少なくとも１つのリソースプールと少なくとも１つの基本パラメータセットとの対応関係を取得することは、
前記端末デバイスがネットワークデバイスにより送信された第１指示情報を受信することと、
前記端末デバイスが前記第１指示情報に基づいて前記少なくとも１つのリソースプールと前記少なくとも１つの基本パラメータセットとの前記対応関係を取得することとを含み、
前記第１指示情報は、前記対応関係を示すために用いられる
ことを特徴とする請求項２に記載の信号伝送方法。
【請求項４】
前記端末デバイスが前記第１信号の伝送に使用する前記第１基本パラメータセット及び前記対応関係に基づいて、前記少なくとも１つのリソースプールから前記第１信号を伝送するリソースプールを確定することは、
前記対応関係に示す前記第１基本パラメータセットに対応するリソースプールが複数である場合、前記端末デバイスが複数のリソースプールから前記第１信号を伝送するリソースプールを確定することを含む
ことを特徴とする請求項２又は３に記載の信号伝送方法。
【請求項５】
前記端末デバイスが複数のリソースプールからリソースプールを確定することは、
前記複数のリソースプールから１つのリソースプールをランダムに選択して、前記第１信号を伝送するリソースプールとすること、又は、
前記端末デバイスが前記端末デバイスの伝送パラメータに基づいてリソースプールインデックスを確定し、前記リソースプールインデックスに基づいて前記複数のリソースプールから前記第１信号を伝送するリソースプールを確定すること、又は、
前記端末デバイスが前記複数のリソースプールに対して負荷測定を行った後、負荷が一番低い又は第１閾値より低いリソースプールを選択して、前記第１信号を伝送するリソースプールとすることを含む
ことを特徴とする請求項４に記載の信号伝送方法。
【請求項６】
前記端末デバイスが複数のリソースプールから前記第１信号を伝送するリソースプールを確定する前に、前記方法は、さらに、
前記端末デバイスがネットワークデバイスにより送信された第２指示情報を受信することを含み、前記第２指示情報は、前記端末デバイスが前記第１信号の伝送に使用するリソースプールインデックスを示すために用いられ、
前記端末デバイスが前記複数のリソースプールからリソースプールを確定することは、
前記端末デバイスが前記第２指示情報が示すリソースプールインデックスに基づいて、前記複数のリソースプールから前記第１信号を伝送するリソースプールを確定することを含む
ことを特徴とする請求項４に記載の信号伝送方法。
【請求項７】
前記端末デバイスが第１信号の伝送に使用する第１基本パラメータセットに基づいて、前記第１信号を伝送するリソースプールを確定する前に、前記方法は、さらに、
前記端末デバイスが前記第１信号の伝送に使用する前記第１基本パラメータセットを確定することを含む
ことを特徴とする請求項１〜６のいずれか１項に記載の信号伝送方法。
【請求項８】
前記端末デバイスが前記第１信号の伝送に使用する前記第１基本パラメータセットを確定することは、
前記端末デバイスが前記第１信号のサビースタイプ、周波数帯及びパスロスパラメータのうちの少なくとも１つに基づいて、前記第１信号の伝送に使用する前記第１基本パラメータセットを確定すること、又は、
前記端末デバイスがネットワークデバイスにより送信された第３指示情報を受信し、前記端末デバイスが前記第３指示情報に基づいて、前記第１信号の伝送に使用する前記第１基本パラメータセットを確定し、前記第３指示情報は、前記第１信号の伝送に使用する前記第１基本パラメータセットを示すために用いられること、又は、
前記端末デバイスが、前記第１信号以外の第２信号を検定し、前記第２信号の伝送に使用する基本パラメータセットを前記第１信号の伝送に使用する第１基本パラメータセットとして確定することを含む
ことを特徴とする請求項７に記載の信号伝送方法。
【請求項９】
前記端末デバイスが前記第１信号を伝送するリソースプール内の伝送リソースを使用して前記第１信号を伝送することは、
前記端末デバイスが、前記第１信号を伝送するリソースプールに含まれる少なくとも１つの伝送リソースから伝送リソースをランダムに選択して、前記第１信号を伝送すること、又は、
前記端末デバイスが、前記端末デバイスの伝送パラメータに基づいて伝送リソースインデックスを確定し、伝送リソースインデックスに基づいて前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送すること、又は、
前記端末デバイスが、予め構成された伝送リソースインデックスに基づいて前記第１信号を伝送するリソースプールに含まれる少なくとも１つの伝送リソースから前記第１信号を伝送するための伝送リソースを確定し、前記第１信号を伝送するための伝送リソースにおいて前記第１信号を伝送すること、又は、
前記端末デバイスが、前記第１信号を伝送するリソースプールに含まれる少なくとも１つの伝送リソースに負荷測定を行い、負荷が一番低い又は第２閾値より低い伝送リソースを選択し、前記負荷が一番低い又は第２閾値より低い伝送リソースにおいて前記第１信号を伝送することを含む
ことを特徴とする請求項１〜８のいずれか１項に記載の信号伝送方法。
【請求項１０】
前記リソースプールは、少なくとも１つの伝送リソースを含み、
前記少なくとも１つの伝送リソースの各伝送リソースは、物理的な時間周波数リソース及び/又はシーケンスリソースを含む
ことを特徴とする請求項１〜９のいずれか１項に記載の信号伝送方法。
【請求項１１】
前記基本パラメータセットは、
サブキャリア間隔、システム帯域幅に含まれるサブキャリアの数、物理リソースブロックＰＲＢに含まれるサブキャリアの数、直交周波数分割多重ＯＦＤＭのシンボルの長さ、ＯＦＤＭ信号の生成に使用する高速フーリエ変換ＦＦＴ又は高速フーリエ逆変換ＩＦＦＴの点数、伝送時間間隔ＴＴＩに含まれるＯＦＤＭシンボルの数、第１時間帯に含まれるＴＴＩ数及び前記第１信号のサイクリックプレフィックスＣＰタイプのうちの少なくとも１つを含む
ことを特徴とする請求項１〜１０のいずれか１項に記載の信号伝送方法。
【請求項１２】
前記第１信号は、ランダムアクセス信号、データ信号又はアップリンク制御信号である
ことを特徴とする請求項１〜１１のいずれか１項に記載の信号伝送方法。
【請求項１３】
信号伝送方法であって、
ネットワークデバイスが端末デバイスに第１指示情報を送信することを含み、
前記第１指示情報は、対応関係を示すために用いられ、
前記対応関係は、前記少なくとも１つの基本パラメータセット内の各基本パラメータセットが１つ以上のリソースプールに対応することを示すために用いられる
ことを特徴とする信号伝送方法。
【請求項１４】
前記方法は、さらに、
前記ネットワークデバイスが前記端末デバイスが第２指示情報を送信することを含み、
前記第２指示情報は、前記端末デバイスが前記第２指示情報が示すリソースプールインデックスに基づいて前記複数のリソースプールから前記第１信号を伝送するリソースプールを確定するように、前記端末デバイスが前記第１信号の伝送に使用するリソースプールインデックスを示すために用いられる
ことを特徴とする請求項１３に記載の信号伝送方法。
【請求項１５】
信号伝送装置であって、
プロセッサ及びメモリを含み、
前記メモリに命令が記憶され、
前記プロセッサが前記命令を実行する場合、前記信号伝送装置が請求項１〜１４のいずれか１項に記載の情報伝送方法を実行するように構成される
ことを特徴とする信号伝送装置。
【国際調査報告】
2020500440.tif 000006
2020500440.tif 000007
2020500440.tif 000008
2020500440.tif 000009